(57)【要約】  １つまたは複数の態様における装置および方法は、ワイヤレスデバイスにおける受信されたデータパケットのステータス報告管理を可能にする。ワイヤレスデバイスは、ＵＥにおいて受信された複数のデータパケットのシーケンス内のいくつかの失われたデータパケットを識別したことに応答して生成された第１のステータス報告が、いくつかの失われたデータパケットの数よりも少ない失われたデータパケットに関連する情報を含むと決定し得る。ワイヤレスデバイスは、第１のステータス報告を送信し得る。ワイヤレスデバイスは、決定に基づいて、送信に応答するステータス禁止タイマーを無効化し得る。ワイヤレスデバイスは、第１のステータス報告に含まれないいくつかの失われたデータパケットのうちの残りの失われたデータパケットに関連する情報を含む第２のステータス報告を送信し得る。
2017539129.tif 000002
【特許請求の範囲】
【請求項１】
データパケットの受信ステータスを報告することに関するワイヤレス通信の方法であって、
ユーザ機器（ＵＥ）において受信された複数のデータパケットのシーケンス内のいくつかの失われたデータパケットを識別したことに応答して生成された第１のステータス報告が、前記いくつかの失われたデータパケットのすべてよりも少ない失われたデータパケットに関連する情報を含むと、前記ＵＥによって決定することと、
前記第１のステータス報告を送信することと、
前記決定に基づいて、前記送信に応答するステータス禁止タイマーを無効化することとを備える方法。
【請求項２】
前記第１のステータス報告に含まれていない前記いくつかの失われたデータパケットのうちの残りの失われたデータパケットの少なくとも一部に関連する情報を含む第２のステータス報告を送信することをさらに備える、請求項１に記載の方法。
【請求項３】
前記第２のステータス報告は、前記第１のステータス報告の送信時間に前記ステータス禁止タイマーの持続時間を加えた時間に等しい時間よりも前に送信される、請求項２に記載の方法。
【請求項４】
前記第２のステータス報告は、前記ステータス禁止タイマーが前記第１のステータス報告の前記送信に応答して始動された場合に前記ステータス禁止タイマーが満了していたであろう時間よりも前に送信される、請求項２に記載の方法。
【請求項５】
前記第１のステータス報告は、制限されたアップリンク許可サイズに起因して前記いくつかの失われたデータパケットのすべてよりも少ない失われたデータパケットに関連する前記情報を含む、請求項１に記載の方法。
【請求項６】
アップリンク許可を受信することと、
前記アップリンク許可に基づいて最大データパケットサイズを決定することと、ここにおいて、前記最大データパケットサイズが、前記いくつかの失われたデータパケットのすべてに関する情報を報告するには不十分である、
前記最大データパケットサイズまでの前記いくつかの失われたデータパケットに関連する前記情報を含む前記第１のステータス報告を生成することとをさらに備える、請求項５に記載の方法。
【請求項７】
前記いくつかの失われたデータパケットのすべてよりも少ない失われたデータパケットに関連する前記情報を含むように前記第１のステータス報告を生成することをさらに備え、ここにおいて、前記いくつかの失われたデータパケットは、前記ＵＥによる離調の間に失われる、請求項１に記載の方法。
【請求項８】
前記離調を実行することをさらに備え、ここにおいて、前記離調が、
異なるエアインターフェース技術への離調、
異なる無線周波数への離調、または
前記複数のデータパケットの前記シーケンスを受信することに関連する第１の加入者識別モジュール（ＳＩＭ）とは異なる第２のＳＩＭに関係するエアインターフェースへの離調のうちの少なくとも１つに関連する、請求項７に記載の方法。
【請求項９】
前記ステータス禁止タイマーの前記無効化は、無線リンク制御（ＲＬＣ）レイヤにおける無効化をさらに備える、請求項１に記載の方法。
【請求項１０】
前記いくつかの失われたデータパケットのすべてよりも少ない失われたデータパケットに関連する前記情報を含むように前記第１のステータス報告を生成することをさらに備え、ここにおいて、前記いくつかの失われたデータパケットのすべてよりも少ない失われたデータパケットに関連する前記情報は、否定応答（ＮＡＣＫ）と、前記いくつかの失われたデータパケットのすべてよりも少ない失われたデータパケットの対応するシーケンス番号の識別情報とを含む、請求項１に記載の方法。
【請求項１１】
データパケットの受信ステータスを報告することに関するワイヤレス通信のためのユーザ機器（ＵＥ）であって、
第１のステータス報告を含むデータパケットをワイヤレスに送受信するように構成されたトランシーバと、
前記トランシーバによって受信されたデータパケットのレコードを記憶するように構成されたメモリと、
前記トランシーバおよび前記メモリに通信可能に結合されたプロセッサとを備え、前記プロセッサが、
前記ＵＥにおいて受信された複数のデータパケットのシーケンス内のいくつかの失われたデータパケットを識別したことに応答して生成された前記第１のステータス報告が、前記いくつかの失われたデータパケットの数よりも少ない失われたデータパケットに関連する情報を含むと決定することと、
前記トランシーバを介して前記第１のステータス報告の送信を開始することと、
前記決定に基づいて、前記送信に応答するステータス禁止タイマーを無効化することとを行うように構成されるＵＥ。
【請求項１２】
前記プロセッサは、
前記第１のステータス報告に含まれていない前記いくつかの失われたデータパケットのうちの残りの失われたデータパケットの少なくとも一部に関連する情報を含む第２のステータス報告の送信を前記トランシーバを介して開始するようにさらに構成される、請求項１１に記載のＵＥ。
【請求項１３】
前記プロセッサは、前記第１のステータス報告の送信時間に前記ステータス禁止タイマーの持続時間を加えた時間に等しい時間よりも前に前記第２のステータス報告の送信を開始するように構成される、請求項１２に記載のＵＥ。
【請求項１４】
前記プロセッサは、前記ステータス禁止タイマーが前記第１のステータス報告の前記送信に応答して始動された場合に前記ステータス禁止タイマーが満了していたであろう時間よりも前に前記第２のステータス報告の送信を開始するように構成される、請求項１２に記載のＵＥ。
【請求項１５】
前記第１のステータス報告は、制限されたアップリンク許可サイズに起因して前記いくつかの失われたデータパケットの数よりも少ない失われたデータパケットに関連する前記情報を含む、請求項１１に記載のＵＥ。
【請求項１６】
前記トランシーバは、アップリンク許可を受信するように構成され、
前記プロセッサは、前記アップリンク許可に基づいて最大データパケットサイズを決定するように構成され、ここにおいて、前記最大データパケットサイズが、前記いくつかの失われたデータパケットに関する情報を報告するには不十分である、請求項１５に記載のＵＥ。
【請求項１７】
前記いくつかの失われたデータパケットは、前記ＵＥによる離調の間に失われる、請求項１１に記載のＵＥ。
【請求項１８】
前記離調は、
異なるエアインターフェース技術への離調、
異なる無線周波数への離調、または
前記装置に関連する第２の加入者識別モジュール（ＳＩＭ）に関係するエアインターフェースへの離調のうちの少なくとも１つに関連し、ここにおいて、前記装置は、前記複数のデータパケットの前記シーケンスを受信することに関連する第１のＳＩＭと前記第２のＳＩＭとをさらに備える、請求項１７に記載のＵＥ。
【請求項１９】
前記ステータス禁止タイマーは、無線リンク制御（ＲＬＣ）レイヤに関連する、請求項１１に記載のＵＥ。
【請求項２０】
前記いくつかの失われたデータパケットの数よりも少ない失われたデータパケットに関連する情報は、否定応答（ＮＡＣＫ）と、前記いくつかの失われたデータパケットの数よりも少ない失われたデータパケットの対応するシーケンス番号の識別情報とを含む、請求項１１に記載のＵＥ。
【請求項２１】
データパケットの受信ステータスを報告することに関するワイヤレス通信のためのユーザ機器（ＵＥ）であって、
前記ＵＥにおいて受信された複数のデータパケットのシーケンス内のいくつかの失われたデータパケットを識別したことに応答して生成された第１のステータス報告が、前記いくつかの失われたデータパケットのすべてよりも少ない失われたデータパケットに関連する情報を含むと、前記ＵＥにおいて決定するための手段と、
前記第１のステータス報告を送信するための手段と、
前記決定に基づいて、前記第１のステータス報告を送信したことに応答するステータス禁止タイマーを無効化するための手段とを備えるＵＥ。
【請求項２２】
前記送信するための手段はさらに、前記第１のステータス報告に含まれていない前記いくつかの失われたデータパケットのうちの残りの失われたデータパケットの少なくとも一部に関連する情報を含む第２のステータス報告を送信するための手段である、請求項２１に記載のＵＥ。
【請求項２３】
前記送信するための手段はさらに、前記ステータス禁止タイマーが前記第１のステータス報告の前記送信に応答して始動された場合に前記ステータス禁止タイマーが満了していたであろう時間よりも前に前記第２のステータス報告を送信するための手段である、請求項２２に記載のＵＥ。
【請求項２４】
アップリンク許可を受信するための手段と、
前記アップリンク許可に基づいて最大データパケットサイズを決定するための手段と、ここにおいて、前記最大データパケットサイズが、前記いくつかの失われたデータパケットのすべてに関する前記情報を報告するには不十分である、
前記最大データパケットサイズまでの前記いくつかの失われたデータパケットに関連する情報を含む前記第１のステータス報告を生成するための手段とをさらに備える、請求項２１に記載のＵＥ。
【請求項２５】
受信機を離調期間の間、通信チャネルから離調させるための手段をさらに備え、ここにおいて、前記いくつかの失われたデータパケットは前記離調期間の間に失われる、請求項２１に記載のＵＥ。
【請求項２６】
前記受信機を前記通信チャネルから離調させるための前記手段は、
異なるエアインターフェース技術への離調、
異なる無線周波数への離調、または
前記複数のデータパケットの前記シーケンスを受信することに関連する第１の加入者識別モジュール（ＳＩＭ）とは異なる第２のＳＩＭに関係するエアインターフェースへの離調を行うための手段である、請求項２５に記載のＵＥ。
【請求項２７】
ワイヤレス通信においてデータパケットの受信ステータスを報告するためのコンピュータ実行可能コードを記憶するコンピュータ可読媒体であって、
ユーザ機器（ＵＥ）において受信された複数のデータパケットのシーケンス内のいくつかの失われたデータパケットを識別したことに応答して生成された第１のステータス報告が、前記いくつかの失われたデータパケットのすべてよりも少ない失われたデータパケットに関連する情報を含むと、前記ＵＥによって決定するためのコードと、
前記第１のステータス報告を送信するためのコードと、
前記決定に基づいて、前記送信に応答するステータス禁止タイマーを無効化するためのコードとを備えるコンピュータ可読媒体。
【請求項２８】
前記第１のステータス報告に含まれていない前記いくつかの失われたデータパケットのうちの残りの失われたデータパケットに関連する情報を含む第２のステータス報告を送信するためのコードをさらに備える、請求項２７に記載のコンピュータ可読媒体。
【請求項２９】
前記第２のステータス報告を送信するための前記コードは、前記ステータス禁止タイマーが通常であれば満了していたであろう時間よりも前に送信するためのコードを含む、請求項２８に記載のコンピュータ可読媒体。
【請求項３０】
アップリンク許可を受信するためのコードと、
前記アップリンク許可に基づいて最大データパケットサイズを決定するためのコードとをさらに備え、ここにおいて、前記最大データパケットサイズは、単一のパケットにおいて前記いくつかの失われたデータパケットに関する情報を報告するには不十分な最大パケットサイズであり、前記第１のステータス報告は、前記不十分な最大パケットサイズに起因して前記いくつかの失われたデータパケットの数よりも少ない失われたデータパケットに関連する前記情報を含む、請求項２７に記載のコンピュータ可読媒体。
【発明の詳細な説明】
【技術分野】
【０００１】
優先権の主張
[0001]本特許出願は、その全体が参照により本明細書に明確に組み込まれる、２０１４年１０月３１日に出願された「ＳＴＡＴＵＳ  ＰＲＯＨＩＢＩＴ  ＴＩＭＥＲ  ＤＩＳＡＢＬＩＮＧ  ＦＯＲ  ＰＡＲＴＩＡＬ  ＳＴＡＴＵＳ  ＲＥＰＯＲＴ」と題するインド出願第３４５１／ＭＵＭ／２０１４号および２０１５年９月２２日に出願された「ＳＴＡＴＵＳ  ＰＲＯＨＩＢＩＴＩＯＮ  ＴＩＭＥＲ  ＤＩＳＡＢＬＩＮＧ  ＦＯＲ  ＰＡＲＴＩＡＬ  ＳＴＡＴＵＳ  ＲＥＰＯＲＴ」と題する米国特許出願第１４／８６１，９１１号の優先権を主張する。
【０００２】
[0002]説明する態様は、一般にワイヤレス通信システムに関する。より詳細には、説明する態様は、無線リンクステータス報告のための技法に関する。
【背景技術】
【０００３】
[0003]ワイヤレス通信システムは、電話、ビデオ、データ、メッセージング、およびブロードキャストなど、様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を使用する場合がある。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムが含まれる。これらの多元接続技術は、異なるワイヤレスデバイスが都市、国家、地域、さらには地球規模で通信することを可能にする共通プロトコルを提供するために様々な電気通信規格において採用されてきた。
【０００４】
[0004]例示的な電気通信規格としてロングタームエボリューション（ＬＴＥ（登録商標））がある。ＬＴＥは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上でＯＦＤＭＡを使用し、アップリンク（ＵＬ）上でＳＣ−ＦＤＭＡを使用し、多入力多出力（ＭＩＭＯ）アンテナ技術を使用して、他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を使用する電気通信規格とに適用可能であるべきである。
【０００５】
[0005]ＬＴＥを使用するワイヤレス通信システムでは、１つまたは複数のｅＮｏｄｅＢによってサービスされるユーザ機器（ＵＥ）は、無線受信機を異なる加入者識別モジュール（ＳＩＭ）に関係するある周波数、無線アクセス技術（ＲＡＴ）、および／またはエアインターフェースから時折離調させ、第２のＳＩＭに関連する別の周波数、別のＲＡＴ、および／または別のエアインターフェースを監視する場合がある。離調の間、最初の周波数上でのＵＥの受信性能が低下し、それによって、失われたデータパケットまたは正しく受信されなかったデータパケットの数が増える場合がある。ＵＥが、下位プロトコルレイヤにおける失われたデータパケットまたは正しく受信されなかったデータパケットを、たとえば、再送信要求によって再送信し復元することができない場合、伝送制御プロトコル（ＴＣＰ）などの上位層プロトコルにおいて、ラウンドトリップ時間が長くなり、スループットが過度に低下する場合がある。
【０００６】
[0006]したがって、特に、比較的多数のデータパケットが離調などのイベントの影響を受けるときに、ＵＥの下位プロトコルレイヤにおける失われたデータパケットのステータスを報告する技法を改善することが望ましい。
【発明の概要】
【０００７】
[0007]以下では、１つまたは複数の態様の基本的理解を与えるために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。その唯一の目的は、後に提示されるより詳細な説明の導入として、１つまたは複数の態様のいくつかの概念を簡略化された形で提示することである。
【０００８】
[0008]１つまたは複数の態様における装置および方法は、ワイヤレスデバイスにおける受信されたデータパケットのステータス報告管理を可能にする。ワイヤレスデバイスは、ＵＥにおいて受信された複数のデータパケットのシーケンス内のいくつかの失われたデータパケットを識別したことに応答して生成された第１のステータス報告が、いくつかの失われたデータパケットの数よりも少ない失われたデータパケットに関連する情報を含むと決定し得る。ワイヤレスデバイスは、第１のステータス報告を送信し得る。ワイヤレスデバイスは、決定に基づいて、送信に応答するステータス禁止タイマーを無効化し得る。ワイヤレスデバイスは、第１のステータス報告に関連していなかった失われたデータパケットに関連する情報を含む第２のステータス報告を送信し得る。第２のステータス報告は、第１のステータス報告の送信時間にステータス禁止タイマーの時間を加えた時間に等しい時間よりも前に送信され得る。いくつかの失われたデータパケットは、ワイヤレスデバイスによる離調の間に失われる場合がある。
【０００９】
[0009]一態様では、本開示は、ワイヤレス通信の方法を提供する。この方法は、いくつかの失われたデータパケットに応答して生成された第１のステータス報告が、いくつかの失われたデータパケットの数よりも少ない失われたデータパケットに関連する情報を含むと、ユーザ機器（ＵＥ）によって決定することを含み得る。この方法は、第１のステータス報告を送信することをさらに含み得る。この方法は、決定に基づいてステータス禁止タイマーを無効化することを含み得る。
【００１０】
[0010]別の態様では、本開示は、データパケットの受信ステータスを報告することに関するワイヤレス通信のためのＵＥを提供する。ＵＥは、第１のステータス報告を含むデータパケットをワイヤレスに送受信するように構成されたトランシーバを含み得る。ＵＥは、トランシーバによって受信されたデータパケットのレコードを記憶するように構成されたメモリをさらに含み得る。ＵＥは、トランシーバおよびメモリに通信可能に結合されたプロセッサをさらに含み得る。プロセッサは、ＵＥにおいて受信された複数のデータパケットのシーケンス内のいくつかの失われたデータパケットを識別したことに応答して生成された第１のステータス報告が、いくつかの失われたデータパケットの数よりも少ない失われたデータパケットに関連する情報を含むと決定するように構成され得る。プロセッサは、トランシーバを介して第１のステータス報告の送信を開始するように構成され得る。プロセッサは、決定に基づいて、送信に応答するステータス禁止タイマーを無効化するようにさらに構成され得る。
【００１１】
[0011]本開示の別の態様は、データパケットの受信ステータスを報告することに関するワイヤレス通信のための別の（ＵＥ）を提供する。ＵＥは、ＵＥにおいて受信された複数のデータパケットのシーケンス内のいくつかの失われたデータパケットを識別したことに応答して生成された第１のステータス報告が、いくつかの失われたデータパケットのすべてよりも少ない失われたデータパケットに関連する情報を含むと決定するための手段を含み得る。ＵＥは、第１のステータス報告を送信するための手段をさらに含み得る。ＵＥは、決定に基づいて、第１のステータス報告を送信したことに応答するステータス禁止タイマーの無効化を開始することを禁止するための手段を含み得る。
【００１２】
[0012]別の態様では、本開示は、データパケットの受信ステータスを報告することに関するワイヤレス通信のためのコンピュータ実行可能コードを記憶するコンピュータ可読媒体を提供する。このコンピュータ可読媒体は非一時的コンピュータ可読媒体であり得る。このコンピュータ可読媒体は、ＵＥにおいて受信された複数のデータパケットのシーケンス内のいくつかの失われたデータパケットを識別したことに応答して生成された第１のステータス報告が、いくつかの失われたデータパケットの数よりも少ない失われたデータパケットに関連する情報を含むと、ＵＥによって決定するためのコードと、第１のステータス報告を送信するためのコードと、決定に基づいて、送信に応答するステータス禁止タイマーを無効化するためのコードとを含み得る。
【００１３】
[0013]上記および関係する目的を達成するために、１つまたは複数の態様は、以下で十分に説明し特に特許請求の範囲で指摘する特徴を備える。以下の説明および添付の図面に、１つまたは複数の態様のいくつかの例示的な特徴を詳細に記載する。ただし、これらの特徴は、様々な態様の原理が使用され得る様々な方法のほんのいくつかを示すものであり、この説明は、すべてのそのような態様およびそれらの均等物を含むものとする。
【００１４】
[0014]添付の図面とともに以下に説明する開示する態様は、開示する態様を限定するためではなく、開示する態様を例示するために与えられ、同様の符号は同様の要素を示す。
【図面の簡単な説明】
【００１５】
【図１】[0015]本態様に従ってステータス報告管理が実施され得るワイヤレス通信システムを示すブロック図。
【図２】[0016]本態様に従ってステータス報告管理が実施され得るアクセスネットワークの一例を示す図。
【図３】[0017]本態様に関連して使用され得るＬＴＥにおけるＤＬフレーム構造の一例を示す図。
【図４】[0018]本態様に関連して使用され得るＬＴＥにおけるＵＬフレーム構造の一例を示す図。
【図５】[0019]本態様に関連して使用され得るユーザプレーンおよび制御プレーンに関する無線プロトコルアーキテクチャの一例を示す図。
【図６】[0020]本態様に従ってステータス報告管理が実施され得るアクセスネットワークにおける発展型ノードＢおよびユーザ機器の一例を示す図。
【図７】[0021]本態様に従ってステータス報告管理を実施するのを可能にする１つまたは複数の構成要素を示す図。
【図８】[0022]本態様に従ってＵＥによって受信されたダウンリンク通信に関してフィードバックを行う方法の一態様のフローチャート。
【図９】[0023]ＵＥと発展型ノードＢとの間で送信される例示的なデータパケットを示す図。
【図１０】[0024]本態様に従ってステータス報告管理が実施され得る例示的な装置内の様々なモジュール／手段／構成要素間のデータフローを示す概念データフロー図。
【図１１】[0025]本態様に従ってステータス報告管理が実施され得る処理システムを使用する装置のためのハードウェア実装形態の一例を示す図。
【発明を実施するための形態】
【００１６】
[0026]添付の図面に関して以下に記載する詳細な説明は、様々な構成について説明することを意図し、本明細書で説明する概念が実施され得る唯一の構成を表す意図はない。この詳細な説明は、様々な概念を完全に理解することを目的とした具体的な詳細を含む。しかしながら、これらの概念がこれらの具体的な詳細なしに実践されてもよいことが、当業者に明らかであろう。いくつかの事例では、そのような概念を不明瞭にしないように、よく知られている構成要素をブロック図の形式で示す。さらに、本明細書で使用する「構成要素」という用語は、システムを構成する部分のうちの１つであってもよく、ハードウェアまたはソフトウェアあるいはそれらの何らかの組合せであってもよく、他の構成要素に分割されてもよい。
【００１７】
[0027]次に、様々な装置および方法を参照しながら電気通信システムのいくつかの態様を提示する。これらの装置および方法について、以下の発明を実施するための形態において説明し、様々なブロック、モジュール、構成要素、回路、ステップ、プロセス、アルゴリズムなど（まとめて「要素」と呼ばれる）によって添付の図面に示す。これらの要素は、電子ハードウェア、コンピュータソフトウェア、またはそれらの任意の組合せを使用して実装されてもよい。そのような要素がハードウェアとして実装されるか、ソフトウェアとして実装されるかは、特定の適用例および全体的なシステムに課せられる設計制約に依存する。
【００１８】
[0028]例として、要素、または要素の任意の部分、または要素の任意の組合せは、１つまたは複数のプロセッサを含む「処理システム」を用いて実装されてもよい。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成される他の適切なハードウェアが含まれる。処理システムの中の１つまたは複数のプロセッサは、ソフトウェアを実行してもよい。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１９】
[0029]したがって、１つまたは複数の態様では、説明する機能は、ハードウェア、ソフトウェア、ファームウェア、またはそれらの任意の組合せで実装されてもよい。ソフトウェアで実装される場合、機能は、コンピュータ可読媒体上に記憶されるか、あるいはコンピュータ可読媒体上に１つまたは複数の命令またはコードとして符号化されてもよい。コンピュータ可読媒体は、コンピュータ記憶媒体を含む。記憶媒体は、コンピュータによってアクセスすることができる任意の利用可能な媒体であってもよい。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用することができ、コンピュータによってアクセスすることができる任意の他の媒体を備えることが可能である。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００２０】
[0030]本開示は、ＵＥとｅＮｏｄｅＢとの間の無線リンクに関するステータス報告を管理するための様々な態様を提示する。ＵＥは、他の無線ネットワークを監視するためにｅＮｏｄｅＢからの離調を実行する際、ｅＮｏｄｅＢとの接続モードのままであり得るが、ＵＥの受信性能が低下する場合がある。たとえば、ＵＥは、ｅＮｏｄｅＢによって送信された信号を受信し処理するための１つまたは複数の受信チェーンを使用できなくなる場合がある。したがって、ＵＥは、ｅＮｏｄｅＢによって送信されたデータパケットを正しく受信し復号することができなくなる場合がある。ＵＥは、干渉、移動、妨害する物体、高いダウンリンクブロックエラーレート、またはいくつかのＣＲＣ障害などの他の理由でデータパケットを正しく受信し復号することができない場合もある。
【００２１】
[0031]失われたデータパケットを復元するために無線リンク制御（ＲＬＣ）プロトコルが使用され得る。ＲＬＣプロトコルは、各データパケット（たとえば、プロトコルデータユニット（ＰＤＵ））にシーケンス番号（ＳＮ）を割り当て得る。本明細書で使用する「ＰＤＵ」という用語はＲＬＣレイヤＰＤＵを指す。ＰＤＵはデータパケットの一例であり得る。ＲＬＣエンティティ（たとえば、ＵＥのＲＬＣプロトコルレイヤにおいて動作するハードウェアおよび／またはソフトウェアエンティティ）は、トリガされたときに、各々がそれぞれのＳＮを有するＰＤＵのシーケンス内の各ＰＤＵが受信されたかどうかに関して肯定応答（ＡＣＫ）または否定応答（ＮＡＣＫ）のいずれかを行う、対応するＲＬＣエンティティ（たとえば、ｅＮｏｄｅＢのＲＬＣプロトコルレイヤにおいて動作するハードウェアおよび／またはソフトウェアエンティティ）へのステータス報告を送り得る。一態様では、ステータス報告は、直近に受信されたデータパケットのＳＮと、その後に続く、ＮＡＣＫである各データパケット、たとえば、受信されずおよび／または正しく復号できない各データパケットのＳＮとを含み得る。
【００２２】
[0032]多数のデータパケットが正しく受信されず、アップリンク許可が制限されるとき、ＵＥアップリンク許可がリスト全体を送るのに十分なリソースを提供しないことに起因し、たとえば、ＮＡＣＫデータパケットの完全なリストを含むステータス報告のサイズが許可のサイズを超えることに起因して、ＵＥは、単一のステータス報告ではＮＡＣＫデータパケットの完全なリストを送信できない場合がある。いくつかの失われたデータパケットの各々に関するステータスを含まないステータス報告は、「部分的ステータス報告」と呼ばれ得る。ＵＥは、ＮＡＣＫデータパケットの部分的リストを含む部分的ステータス報告を送った後、残りのいくつか（または許可内に適合することのできる残りのいくつかの一部）のＮＡＣＫデータパケットを示す次のステータス報告を送信する前にステータス禁止タイマーが満了するのを待機するように構成され得る。次のステータス報告（および任意の以後のステータス報告）を送信する際の遅延は、ＮＡＣＫデータパケットに含まれる任意のデータに関するラウンドトリップ時間を著しく延ばし得る。たとえば、ステータス禁止タイマーによって生じる遅延は、データパケットが最初に送信された離調期間よりも長い場合がある。したがって、データパケットに関するラウンドトリップ時間は、離調期間とステータス禁止タイマー持続時間の両方を含み得る。
【００２３】
[0033]別の態様では、部分的ステータス報告は、ＮＡＣＫデータパケットを示す余裕がないことに起因して最後に受信されたデータパケットのＳＮのみを含み得る。ｅＮｏｄｅＢは、ＮＡＣＫデータパケットが示されていない部分的ステータス報告を受信したときにどのデータパケットを再送信すべきかを確定できない場合がある。たとえば、ｅＮｏｄｅＢは、異なるデータパケットが失われているにもかかわらず最後に送信されたデータパケットを再送信し得る。したがって、ＵＥは、再送信において（１つまたは複数の）失われたパケットを受信しない場合、同じ情報を有する別の部分的ステータス報告を送ることがあり、デッドロック状況が生じ、場合によっては無線リンク障害が生じる場合がある。
【００２４】
[0034]本態様によれば、ＵＥは、受信されたデータパケットのシーケンスにおける任意の失われたデータパケットの（１つまたは複数の）再送信を（既存のソリューションと比較して）より迅速に受信するのを可能にするために、構成済みのステータス禁止タイマーを選択的に無効化し得る。たとえば、ＵＥにおいて受信された複数のデータパケットのシーケンスにおけるいくつかの失われたパケットに応答して第１のステータス報告が生成されたが、第１のステータス報告が、いくつかの失われたパケットのすべてよりも少ない失われたパケットに関連する情報（たとえば、（１つまたは複数の）ＳＮ）を含むとき、ＵＥは、ステータス禁止タイマーを無効化し得る。次いで、ＵＥは、第１のステータス報告に含まれないいくつかの失われたデータパケットのうちの残りの失われたデータパケットに関連する情報（たとえば、（１つまたは複数の）ＳＮ）を含む第２のステータス報告を送信し得る。第２のステータス報告は、第１のステータス報告の送信時間にステータス禁止タイマーの時間を加えた時間に等しい時間よりも前（たとえば、ステータス禁止タイマーが無効化されない場合に満了していたであろう時間よりも前）に送信され得る。この例（および本明細書における他の例）は第１のステータス報告および第２のステータス報告に言及するが、本態様が、ＵＥにおいて受信された複数のデータパケットのシーケンスにおけるいくつかの失われたパケットのすべてを報告するのに必要な任意の数のステータス報告に適用されることを理解されたい。
【００２５】
[0035]したがって、現在説明しているステータス報告管理によって、いくつかの失われたデータパケットのすべてが、ステータス禁止タイマーによって生じる遅延なしに報告され得るように、ステータス禁止タイマーを無効化することができるので、本態様は、ＵＥがｅＮｏｄｅＢと通信しながら動作し、比較的多数のデータパケット（たとえば、オクテット単位の最大パケットサイズよりも大きいパケット数）が失われるときに特に有用であり得る。ｅＮｏｄｅＢは、現在のソリューションと比較して迅速に失われたデータパケットを再送信することができ、ＵＥが上位プロトコルレイヤにおけるスループットを維持するのを可能にする。
【００２６】
[0036]最初に図１を参照すると、図は、本開示の一態様による、ワイヤレス通信システム１００の一例を示している。ワイヤレス通信システム１００は、本明細書でネットワークノードとも呼ばれる複数のアクセスポイント（たとえば、基地局、ｅＮＢ、またはＷＬＡＮアクセスポイント）１０５と、いくつかのユーザ機器（ＵＥ）１１５と、コアネットワーク１３０とを含む。アクセスポイント１０５は、リソース許可および／またはＵＥデータを含む１つまたは複数の信号１４０を、ＵＥ１１５−ａを含むＵＥに伝達するように構成された通信構成要素１０８を含み得る。これに対応して、ＵＥ１１５−ａなどの１つまたは複数のＵＥは、第１のステータス報告を生成し、第１のステータス報告が部分的ステータス報告であるかどうかを決定し、ステータス禁止タイマーを無効化し、１つまたは複数の信号１４０のデータパケットが適切に受信され、ならびに／あるいは復号されたかどうかを示すために、アクセスポイント１０５への１つまたは複数の信号１４２を使用して第１のステータス報告および第２のステータス報告を送信するように構成されたステータス報告構成要素１０６を含み得る。
【００２７】
[0037]一態様では、たとえば、ステータス報告構成要素１０６は、ＵＥ１１５−ａにおいて受信された複数のデータパケットのシーケンスにおけるいくつかの失われたデータパケットのすべてよりも少ない失われたデータパケットに関連する情報（たとえば、それぞれのＳＮ）を含む第１のステータス報告信号１４２を生成するように構成され得る。失われたパケットは、ＵＥ１１５−ａにおいて受信された複数のデータパケットのシーケンスにおいて、受信されなかったかまたは正しく受信されなかった任意のパケットまたはＰＤＵを含み得る。たとえば、各失われたパケットに関連する第１のステータス報告信号１４２に含まれる情報は、限定はしないが、１つまたは複数の失われたパケットに対応する１つまたは複数のシーケンス番号（ＳＮ）を表す１つまたは複数の値などの、１つまたは複数の失われたパケットの識別情報を含み得る。たとえば、ＵＥ１１５−ａは、直近に受信されたデータパケットのＳＮ値よりも小さいＳＮ値を有する１つまたは複数のデータパケットがシーケンスから失われている場合に、ＵＥ１１５−ａにおいて受信された複数のデータパケットのシーケンスにおけるデータパケットを失われたデータパケットと決定し得る。言い換えれば、一例では、ＵＥ１１５−ａは、失われたＳＮを有するそれぞれのデータパケットが受信されなかったと決定し得る。別の例では、ＵＥ１１５−ａは、失われたデータパケットを巡回冗長検査（ＣＲＣ）または他の復号妥当性検査が失敗した受信されたパケットと決定し得る。したがって、一態様では、失われたパケットは、ＲＬＣプロトコルが否定応答（ＮＡＣＫ）を行う任意のパケットを含み得る。たとえば、第１のステータス報告信号１４２は、ＵＥ１１５−ａにおいて受信された複数のデータパケットのシーケンス内のＮＡＣＫデータパケットを識別するリストを含み得る。第１のステータス報告信号１４２におけるＮＡＣＫデータパケットのリストにおいて識別されるＮＡＣＫデータパケットの数は、アップリンク許可のサイズおよび／または構成済みのＲＬＣ  ＰＤＵサイズによって制限され得る。したがって、第１のステータス報告信号１４２におけるＮＡＣＫデータパケットのリストは、ＵＥ１１５−ａにおいて受信された複数のデータパケットのシーケンス内のすべての失われたデータパケットを含むとは限らない。さらに、たとえば、ステータス報告構成要素１０６は、第１のステータス報告が、いくつかの失われたデータパケットのすべてよりも少ない失われたデータパケットを含むと決定するように構成され得る。さらに、ステータス報告構成要素１０６は、ＵＥ１１５−ａにおいて受信された複数のデータパケットのシーケンス内に第１のステータス報告を送信するように構成され得る。たとえば、ステータス報告構成要素１０６は、第１のステータス報告を（たとえば、トランシーバおよびアンテナを介して）無線信号として送信できるように下位層（たとえば、ＰＨＹレイヤ）に送り得る。これに対応して、ステータス報告構成要素１０６は、送信された第１のステータス報告が、ＵＥ１１５−ａにおいて受信された複数のデータパケットのシーケンス内の失われたデータパケットの総数よりも少ない失われたデータパケットに関連���る情報を含む部分的ステータス報告であるとの決定に応答してステータス禁止タイマーを無効化するように構成され得る。したがって、ステータス報告構成要素１０６は、ＵＥ１１５−ａにおいて受信された複数のデータパケットのシーケンス内の失われたデータパケットの残りの部分に関連する情報を含む第２のステータス報告信号１４２（および必要に応じて、他の以後のステータス報告信号）を送信し得る。
【００２８】
[0038]アクセスポイント１０５は、バックホールリンク１３２を通してコアネットワーク１３０と制御情報および／またはＵＥデータをやり取りしてもよい。各例では、アクセスポイント１０５は、ワイヤードまたはワイヤレス通信リンクであり得るバックホールリンク１３４を介して互いに直接または間接的に通信してもよい。ワイヤレス通信システム１００は、複数のキャリア（異なる周波数の波形信号）上での動作をサポートしてもよい。マルチキャリア送信機は、複数のキャリアで同時に被変調信号を送信してもよい。たとえば、各通信リンク１２５は、上記で説明した様々な無線技術に従って変調されたマルチキャリア信号であってもよい。各被変調信号は、異なるキャリア上で送られることがあり、制御情報（たとえば、基準信号、制御チャネルなど）、オーバーヘッド情報、データなどを搬送してもよい。
【００２９】
[0039]アクセスポイント１０５は、１つまたは複数のアクセスポイントアンテナを介してＵＥ１１５とワイヤレスに通信してもよい。アクセスポイント１０５サイトの各々は、それぞれのカバレージエリア１１０に対する通信カバレージを提供してもよい。いくつかの例では、アクセスポイント１０５は、基地トランシーバ局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局のためのカバレージエリア１１０は、カバレージエリアの一部分のみを構成するセクタに分割されてもよい（図示せず）。ワイヤレス通信システム１００は、異なるタイプのアクセスポイント１０５（たとえば、マクロ基地局、マイクロ基地局、および／またはピコ基地局）を含んでもよい。アクセスポイント１０５はまた、セルラー無線アクセス技術および／またはＷＬＡＮ無線アクセス技術などのそれぞれに異なる無線技術を利用してもよい。アクセスポイント１０５は同じまたは異なるアクセスネットワークまたは事業者展開に関連付けられてもよい。同じまたは異なるタイプのアクセスポイント１０５のカバレージエリアを含み、同じまたは異なる無線技術を利用し、および／あるいは同じまたは異なるアクセスネットワークに属する、それぞれに異なるアクセスポイント１０５のカバレージエリアは重複してもよい。
【００３０】
[0040]ＬＴＥ／ＬＴＥ−Ａネットワーク通信システムでは、発展型ノードＢ（ｅノードＢまたはｅＮＢ）という用語は、概して、アクセスポイント１０５を表すために使用される場合がある。ワイヤレス通信システム１００は、異なるタイプのアクセスポイントが様々な地理的領域のカバレージを提供する、異種ＬＴＥ／ＬＴＥ−Ａネットワークであってもよい。たとえば、各アクセスポイント１０５は、マクロセル、ピコセル、フェムトセル、および／または他のタイプのセルの通信カバレージを提供してもよい。ピコセル、フェムトセル、および／または他のタイプのセルなどのスモールセルは、低電力ノードまたはＬＰＮを含んでもよい。マクロセルは、概して、比較的大きい地理的エリア（たとえば、半径数キロメートル）をカバーし、ネットワークプロバイダのサービスに加入しているＵＥ１１５による無制限アクセスを可能にしてもよい。スモールセルは、概して、比較的より小さい地理的エリアをカバーすることになり、たとえば、ネットワークプロバイダのサービスに加入しているＵＥ１１５による無制限アクセスを可能にしてもよく、たとえば、無制限アクセスに加えて、スモールセルとの関連を有するＵＥ１１５（たとえば、限定加入者グループ（ＣＳＧ：closed subscriber group）中のＵＥ、自宅内のユーザのためのＵＥなど）による制限付きアクセスを可能にしてもよい。マクロセルのためのｅＮＢはマクロｅＮＢと呼ばれることがある。スモールセルのためのｅＮＢはスモールセルｅＮＢと呼ばれることがある。ｅＮＢは、１つまたは複数の（たとえば、２つ、３つ、４つなどの）セルをサポートしてもよい。
【００３１】
[0041]コアネットワーク１３０は、バックホールリンク１３２（たとえば、Ｓ１インターフェースなど）を介してｅＮＢまたは他のアクセスポイント１０５と通信してもよい。アクセスポイント１０５はまた、たとえば、バックホールリンク１３４（たとえば、Ｘ２インターフェースなど）を介しておよび／またはバックホールリンク１３２を介して（たとえば、コアネットワーク１３０を通して）直接的または間接的に、互いに通信してもよい。ワイヤレス通信システム１００は、同期動作または非同期動作をサポートしてもよい。同期動作の場合、各アクセスポイント１０５は同様のフレームタイミングを有してもよく、それぞれに異なるアクセスポイント１０５からの送信は近似的に時間的に整合されてもよい。非同期動作の場合、各アクセスポイント１０５はそれぞれに異なるフレームタイミングを有してもよく、それぞれに異なるアクセスポイント１０５からの送信は時間的に整合されないことがある。本明細書において説明する技法は、同期動作または非同期動作のいずれかのために使用されてもよい。
【００３２】
[0042]ＵＥ１１５はワイヤレス通信システム１００全体にわたって分散され、各ＵＥ１１５は固定されてもまたは移動可能であってもよい。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであってもよい。ＵＥ１１５は、マクロｅノードＢ、スモールセルｅノードＢ、リレーなどと通信することが可能であってもよい。ＵＥ１１５は、セルラーアクセスネットワークもしくは他のＷＷＡＮアクセスネットワーク、またはＷＬＡＮアクセスネットワークなどの異なるアクセスネットワークを介して通信することが可能であってもよい。
【００３３】
[0043]ワイヤレス通信システム１００において示されている通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含んでもよい。ダウンリンク送信は順方向リンク送信と呼ばれることもあり、アップリンク送信は逆方向リンク送信と呼ばれることもある。ＵＥ１１５は、たとえば、多入力多出力（ＭＩＭＯ）、キャリアアグリゲーション（ＣＡ）、多地点協調（ＣｏＭＰ）、または他の方式を通して、複数のアクセスポイント１０５と共同的に通信するように構成されてもよい。ＭＩＭＯ技法は、複数のデータストリームを送信するために、アクセスポイント１０５上の複数のアンテナおよび／またはＵＥ１１５上の複数のアンテナを使用する。キャリアアグリゲーションでは、データ送信のための同じまたは異なるサービングセル上の２つまたはそれ以上のコンポーネントキャリアを利用してもよい。ＣｏＭＰは、ＵＥ１１５のための全体的な送信品質を改善するために、ならびにネットワークおよびスペクトル利用を増加させる、いくつかのアクセスポイント１０５による送信および受信の協調のための技法を含んでもよい。
【００３４】
[0044]ワイヤレス通信システム１００によって使用されてもよい異なる動作モードの各々は、周波数分割複信（ＦＤＤ）または時分割複信（ＴＤＤ）に従って動作してもよい。いくつかの例では、ＯＦＤＭＡ通信信号は、ＬＴＥダウンリンク送信用の通信リンク１２５において使用されてもよく、一方、シングルキャリア周波数分割多元接続（ＳＣ−ＦＤＭＡ）通信信号は、ＬＴＥアップリンク送信用の通信リンク１２５において使用されてもよい。ワイヤレス通信システム１００などのシステムにおけるステータス報告の実装に関する追加の詳細、ならびにそのようなシステムにおける通信に関係する他の特徴および機能が、以下に、以下の図を参照しながら提供される。
【００３５】
[0045]図２は、ＬＴＥネットワークアーキテクチャにおけるアクセスネットワーク２００の一例を示す図であり、１つまたは複数のＵＥ２０６は、本明細書において説明するように、通信構成要素１０８が１つまたは複数のリソース許可および／またはＵＥデータを送信したことに応答して１つまたは複数のｅＮＢ２０８にステータス報告を提供するためのステータス報告構成要素１０６を含んでもよい。この例では、アクセスネットワーク２００は、いくつかのセルラー領域（セル）２０２に分割される。１つまたは複数のより低い電力クラスのｅＮＢ２０８が、セル２０２のうちの１つまたは複数と重なるセルラー領域２１０を有してもよい。より低い電力クラスのｅＮＢ２０８は、フェムトセル（たとえば、ホームｅＮＢ（ＨｅＮＢ：home eNB））、ピコセル、マイクロセル、またはリモート無線ヘッド（ＲＲＨ：remote radio head）であってもよい。マクロｅＮＢ２０４は各々、それぞれのセル２０２に割り当てられ、セル２０２中のすべてのＵＥ２０６にコアネットワークへのアクセスポイントを与えるように構成される。アクセスネットワーク２００のこの例には集中型コントローラはないが、代替構成では集中コントローラが使用されてもよい。ｅＮＢ２０４は、無線ベアラ制御、承認制御、モビリティ制御、スケジューリング、セキュリティ、およびサービングゲートウェイへの接続性を含む、すべての無線関係機能を担当する。
【００３６】
[0046]アクセスネットワーク２００によって使用される変調方式および多元接続方式は、展開されている特定の電気通信規格に応じて異なってもよい。ＬＴＥ適用例では、周波数分割複信（ＦＤＤ）と時分割複信（ＴＤＤ）の両方をサポートするために、ＯＦＤＭＡがＤＬ上で使用され、ＳＣ−ＦＤＭＡがＵＬ上で使用される。当業者が以下の詳細な説明から容易に諒解するように、本明細書で提示する様々な概念は、ＬＴＥ適用例に好適である。ただし、これらの概念は、他の変調および多元接続技法を使用する他の電気通信規格に容易に拡張されてもよい。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張されてもよい。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局に対してブロードバンドインターネットアクセスを可能にするためにＣＤＭＡを使用する。これらの概念はまた、広帯域ＣＤＭＡ（Ｗ−ＣＤＭＡ（登録商標））と、ＴＤ−ＳＣＤＭＡなどのＣＤＭＡの他の変形形態とを使用するユニバーサル地上波無線アクセス（ＵＴＲＡ：Universal Terrestrial Radio Access）、ＴＤＭＡを使用するモバイル通信用グローバルシステム（ＧＳＭ（登録商標）：Global System for Mobile Communications）、ならびに、ＯＦＤＭＡを使用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張されてもよい。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。使用される実際のワイヤレス通信規格および多元接続技術は、特定の適用例およびシステムに課された全体的な設計制約に依存する。
【００３７】
[0047]ｅＮＢ２０４は、ＭＩＭＯ技術をサポートする複数のアンテナを有してもよい。ＭＩＭＯ技術の使用により、ｅＮＢ２０４は、空間多重化と、ビームフォーミングと、送信ダイバーシティとをサポートするために空間領域を活用することが可能になる。空間多重化は、異なるデータストリームを同じ周波数上で同時に送信するために使用されてもよい。データスチームは、データレートを高くするために単一のＵＥ２０６に送信されるか、または全体的なシステム容量を増加させるために複数のＵＥ２０６に送信されてもよい。これは、各データストリームを空間的にプリコーディングし（たとえば、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々はそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００３８】
[0048]空間多重化は、概して、チャネル状態が良いときに使用される。チャネル状態があまり好ましくないとき、送信エネルギーを１つまたは複数の方向に集中させるために、ビームフォーミングが使用されてもよい。これは、複数のアンテナを通して送信するためのデータを空間的にプリコーディングすることによって達成されてもよい。セルのエッジにおいて良好なカバレージを達成するために、送信ダイバーシティと組み合わせてシングルストリームビームフォーミング送信が使用されてもよい。
【００３９】
[0049]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトラム拡散技法である。サブキャリアは正確な周波数で離間される。この離間は、受信機がサブキャリアからデータを復元することを可能にする「直交性」をもたらす。時間領域では、ＯＦＤＭシンボル間干渉をなくすために、各ＯＦＤＭシンボルにガードインターバル（たとえば、サイクリックプレフィックス）が付加されてもよい。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用してもよい。
【００４０】
[0050]図３は、いくつかの例では、ダウンリンクデータパケットおよびダウンリンク許可を受信するために本開示におけるＵＥおよびネットワークノードによって利用されてもよい、ＬＴＥにおけるＤＬフレーム構造の一例を示す図３００である。１フレーム（１０ｍｓ）が、等しいサイズの１０個のサブフレームに分割されてもよい。各サブフレームは、２つの連続するタイムスロットを含んでもよい。各タイムスロットがリソース要素ブロックを含む２つのタイムスロットを表すためにリソースグリッドが使用されてもよい。リソースグリッドは複数のリソース要素に分割される。ＬＴＥでは、リソース要素ブロックは、周波数領域中に１２個の連続するサブキャリアを含んでおり、各ＯＦＤＭシンボル中のノーマルサイクリックプレフィックスについて、時間領域中に７つの連続するＯＦＤＭシンボルを含んでおり、すなわち８４個のリソース要素を含んでいることがある。拡張サイクリックプレフィックスについて、リソース要素ブロックは、時間領域中に６つの連続するＯＦＤＭシンボルを含んでいることがあり、７２個のリソース要素を有する。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソース要素ブロック上でのみ送信される。各リソース要素によって搬送されるビット数は変調方式によって決まる。したがって、ＵＥが受信するリソース要素ブロックが多いほど、また変調方式が高度であるほど、ＵＥのダウンリンクデータレートは高くなる。同様に、サブフレームにおいて搬送されるデータパケットのＲＬＣレイヤＰＤＵサイズおよび数は、各リソース要素によって搬送されるビットの数およびＵＥが受信するリソース要素ブロックの数に基づいて異なってもよい。したがって、ステータス報告構成要素１０６は、ＵＥのデータ転送速度がより高くなったときにより多くのデータパケットに肯定応答することが必要になる場合がある。
【００４１】
[0051]図４は、いくつかの例では、ステータス報告を送信するために利用されてもよい、ＬＴＥにおけるＵＬフレーム構造の一例を示す図４００である。ＵＬのための利用可能なリソース要素ブロックは、データセクションと制御セクションとに区分されてもよい。制御セクションは、システム帯域幅の２つのエッジにおいて形成されてもよく、構成可能なサイズを有してもよい。制御セクション内のリソース要素ブロックは、制御情報を送信できるようにＵＥに割り当てられてもよい。データセクションは、制御セクション内に含まれないすべてのリソース要素ブロックを含んでもよい。ＵＬフレーム構造は、単一のＵＥがデータセクション内の連続サブキャリアのすべてを割り当てられることを可能にしてもよい、連続サブキャリアを含むデータセクションを生じる。
【００４２】
[0052]ＵＥは、ｅＮＢに制御情報を送信するために、制御セクション内のリソース要素ブロック４１０ａ、４１０ｂを割り当てられてもよい。ＵＥは、ｅＮＢにデータを送信するために、データセクション内のリソース要素ブロック４２０ａ、４２０ｂを割り当てられてもよい。ＵＥは、制御セクション内の割り当てられたリソース要素ブロック上の物理ＵＬ制御チャネル（ＰＵＣＣＨ）において制御情報を送信してもよい。ＵＥは、データセクション内の割り当てられたリソース要素ブロック上の物理ＵＬ共有チャネル（ＰＵＳＣＨ）においてデータのみまたはデータと制御情報の両方を送信してもよい。一態様では、ステータス報告構成要素１０６は、ステータス報告をＲＬＣレイヤにおいてＰＵＳＣＨ上のデータとして送信し得る。ステータス報告のサイズは、データセクション内の割り当てられたリソース要素ブロックに基づき得る。たとえば、許可は、割り当てられたリソース要素ブロックならびにアップリンク送信に使用すべき変調およびコーディング方式を示し得る。ステータス報告構成要素１０６は、許可に基づいてステータス報告に関する最大パケットサイズを決定し得る。ＵＬ送信は、サブフレームの両方のスロットに広がり得、周波数間をホッピングし得る。
【００４３】
[0053]初期システムアクセスを実行し、物理ランダムアクセスチャネル（ＰＲＡＣＨ：physical random access channel）４３０中でＵＬ同期を達成するために、リソース要素ブロックのセットが使用されてもよい。ＰＲＡＣＨ４３０は、ランダムシーケンスを搬送し、いかなるＵＬデータ／シグナリングをも搬送することができない。各ランダムアクセスプリアンブルは、６つの連続するリソース要素ブロックに対応する帯域幅を占有する。開始周波数はネットワークによって指定される。すなわち、ランダムアクセスプリアンブルの送信は、ある時間リソースおよび周波数リソースに制限される。ＰＲＡＣＨの場合、周波数ホッピングは行われない。ＰＲＡＣＨ試みは単一のサブフレーム（１ｍｓ）または少数の連続サブフレームのシーケンスにおいて搬送され、ＵＥは、フレーム（１０ｍｓ）ごとに単一のＰＲＡＣＨ試みのみを行うことができる。
【００４４】
[0054]図５は、本明細書において説明するように、ステータス報告管理を実施するのを可能にするＬＴＥにおけるユーザプレーンおよび制御プレーンに関する無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位層であり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を通じたＵＥとｅＮＢとの間のリンクを担当する。
【００４５】
[0055]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側で終端されるネットワークレイヤ（たとえば、ＩＰレイヤ）と、接続の他端（たとえば、遠端ＵＥ、サーバなど）において終端されるトランスポートレイヤ（たとえば、ＴＣＰレイヤ）およびアプリケーションレイヤとを含む、Ｌ２レイヤ５０８の上のいくつかの上位層を有してもよい。
【００４６】
[0056]ＰＤＣＰサブレイヤ５１４は、様々な無線ベアラと論理チャネルとの間の多重化を行う。ＰＤＣＰサブレイヤ５１４はまた、無線送信オーバーヘッドを低減するための上位層データパケットのヘッダ圧縮と、データパケットを暗号化することによるセキュリティと、ＵＥに対するｅＮＢ間のハンドオーバサポートとを行う。ＲＬＣサブレイヤ５１２は、上位層データパケットのセグメント化および再アセンブリと、紛失データパケットの再送信と、ハイブリッド自動再送要求（ＨＡＲＱ）に起因して順が狂った受信を補償するためのデータパケットの並べ替えとを行う。たとえば、ＲＬＣサブレイヤ５１２は、失われたデータパケットを識別するためにステータス報告をＵＥからｅＮＢに提供する。一態様では、ステータス報告構成要素１０６はＲＬＣサブレイヤ５１２に実装され得る。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソース要素ブロック）を割り振ることを担当する。ＭＡＣサブレイヤ５１０はまた、ＨＡＲＱ動作を担当する。
【００４７】
[0057]制御プレーンにおいて、ＵＥおよびｅＮＢのための無線プロトコルアーキテクチャは、制御プレーンに関するヘッダ圧縮機能がないことを除いて、物理レイヤ５０６およびＬ２レイヤ５０８についても実質的に同じである。制御プレーンはまた、レイヤ３（Ｌ３レイヤ）の中に無線リソース制御（ＲＲＣ）サブレイヤ５１６を含む。ＲＲＣサブレイヤ５１６は、無線リソース（たとえば、無線ベアラ）を取得すること、およびｅＮＢとＵＥとの間のＲＲＣシグナリングを使用して下位層を構成することを担当する。
【００４８】
[0058]図６は、アクセスネットワークにおいてＵＥ６５０と通信するｅＮＢ６１０のブロック図であり、ＵＥ６５０は、本明細書において説明するように、通信構成要素１０８が１つまたは複数のリソース許可および／またはＵＥデータを送信したことに応答してｅＮＢ６１０にステータス報告を提供するためのステータス報告構成要素１０６を含み得る。ＤＬでは、コアネットワークからの上位層パケットが、コントローラ／プロセッサ６７５に提供される。コントローラ／プロセッサ６７５は、Ｌ２レイヤの機能（たとえば、ＲＬＣプロトコル）を実施する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。また、コントローラ／プロセッサ６７５は、ＨＡＲＱ動作と、紛失パケットの再送と、ＵＥ６５０へのシグナリングとを担当する。
【００４９】
[0059]送信（ＴＸ）プロセッサ６１６は、Ｌ１レイヤ（たとえば、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを容易にするために、コーディングとインターリービングとを含む。次いで、コーディングされ変調されたシンボルは並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用されてもよい。チャネル推定値は、ＵＥ６５０によって送信される基準信号および／またはチャネル状態フィードバックから導出されてもよい。各空間ストリームは、次いで、別個の送信機６１８ＴＸを介して異なるアンテナ６２０に提供される。各送信機６１８ＴＸは、ＲＦキャリアを、送信できるようにそれぞれの空間ストリームによって変調する。
【００５０】
[0060]ＵＥ６５０において、各受信機６５４ＲＸは、それのそれぞれのアンテナ６５２を通じて信号を受信する。各受信機６５４ＲＸは、ＲＦキャリア上に変調された情報を復元し、この情報を受信（ＲＸ）プロセッサ６５６に提供する。ＲＸプロセッサ６５６は、Ｌ１レイヤの様々な信号処理機能を実施する。ＲＸプロセッサ６５６は、ＵＥ６５０に宛てられた任意の空間ストリームを復元するために、情報に対する空間処理を実行する。複数の空間ストリームがＵＥ６５０に宛てられる場合には、それらの空間ストリームはＲＸプロセッサ６５６によって単一のＯＦＤＭシンボルストリームとして合成されてもよい。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルおよび基準信号は、ｅＮＢ６１０によって送信される最も可能性が高い信号コンスタレーションポイントを決定することによって、復元および復調される。これらの軟判定は、チャネル推定器６５８によって計算されるチャネル推定値に基づく場合がある。軟判定は、次いで、物理チャネル上でｅＮＢ６１０によって当初送信されたデータ信号と制御信号とを復元するために復号され、デインターリーブされる。データ信号および制御信号は、次いで、コントローラ／プロセッサ６５９に提供される。
【００５１】
[0061]コントローラ／プロセッサ６５９はＬ２レイヤを実装する。コントローラ／プロセッサは、プログラムコードとデータとを記憶するメモリ６６０に結合されてもよい。メモリ６６０はコンピュータ可読媒体と呼ばれる場合がある。ＵＬにおいて、コントローラ／プロセッサ６５９は、コアネットワークからの上位層パケットを復元するために、トランスポートチャネルと論理チャネルとの間の逆多重化と、パケットリアセンブリと、暗号解読（deciphering）と、ヘッダ解凍（header decompression）と、制御信号処理とを行う。上位層パケットは、次いで、Ｌ２レイヤの上のすべてのプロトコルレイヤを表す、データシンク６６２に提供される。様々な制御信号が、Ｌ３処理ができるようにデータシンク６６２に提供されてもよい。コントローラ／プロセッサ６５９はまた、ＨＡＲＱ動作をサポートするために、肯定応答（ＡＣＫ）および／または否定応答（ＮＡＣＫ）プロトコルを使用する誤り検出を担当する。コントローラ／プロセッサ６５９は、ステータス報告を使用してＲＬＣサブレイヤにおけるデータパケットのＡＣＫおよび／またはＮＡＣＫを示す無線リンク制御も担当する。ＲＬＣ  ＡＣＫ／ＮＡＣＫがＨＡＲＱ  ＡＣＫ／ＮＡＣＫ動作から分離されてもよいことに留意されたい。ＲＬＣサブレイヤは、ＨＡＲＱプロセスが首尾よくパケットを受信し、ＨＡＲＱプロセスに関するＡＣＫを送信したときにデータパケットを受信してもよい。ＲＬＣサブレイヤは、（たとえば、データパケットを搬送するＨＡＲＱプロセスがＮＡＣＫであったかまたはＨＡＲＱプロセスが再送信限界に達したことに起因して）失われたデータパケットがあるかどうかを決定するために受信されたデータパケットを並べ替えてもよい。ＲＬＣ  ＡＣＫ／ＮＡＣＫは、ＲＬＣレイヤがデータパケットをＮＡＣＫとして報告する前にＨＡＲＱプロセスがデータパケットを復元するのを可能にするＳＮに関する移動ウィンドウに基づいてもよい。
【００５２】
[0062]ＵＬでは、データソース６６７が、コントローラ／プロセッサ６５９に上位層パケットを提供するために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンに関するＬ２レイヤを実装する。また、コントローラ／プロセッサ６５９は、ＨＡＲＱ動作と、紛失パケットの再送と、ｅＮＢ６１０へのシグナリングとを担当する。
【００５３】
[0063]ｅＮＢ６１０によって送信される基準信号またはフィードバックからチャネル推定器６５８によって導出されるチャネル推定値は、適切な符号化および変調方式を選択することと、空間処理を容易にすることとを行うために、ＴＸプロセッサ６６８によって使用されてもよい。ＴＸプロセッサ６６８によって生成される空間ストリームは、別個の送信機６５４ＴＸを介して異なるアンテナ６５２に与えられる。各送信機６５４ＴＸは、ＲＦキャリアを送信できるようにそれぞれの空間ストリームによって変調する。
【００５４】
[0064]ＵＬ送信は、ＵＥ６５０における受信機機能に関して説明したのと同様にｅＮＢ６１０において処理される。各受信機６１８ＲＸは、それのそれぞれのアンテナ６２０を通じて信号を受信する。各受信機６１８ＲＸは、ＲＦキャリア上に変調された情報を復元し、その情報をＲＸプロセッサ６７０に提供する。ＲＸプロセッサ６７０は、Ｌ１レイヤを実装してもよい。
【００５５】
[0065]コントローラ／プロセッサ６７５は、Ｌ２レイヤを実装する。コントローラ／プロセッサ６７５は、プログラムコードとデータとを記憶するメモリ６７６に関連付けられ得る。メモリ６７６はコンピュータ可読媒体と呼ばれる場合がある。ＵＬにおいて、コントローラ／プロセッサ６７５は、ＵＥ６５０からの上位層パケットを再生するために、トランスポートチャネルと論理チャネルとの間の逆多重化と、パケットリアセンブリと、暗号解読と、ヘッダ解凍と、制御信号処理とを行う。コントローラ／プロセッサ６７５からの上位層パケットはコアネットワークに提供されてもよい。コントローラ／プロセッサ６７５は、ＨＡＲＱ動作をサポートするためにＡＣＫおよび／またはＮＡＣＫプロトコルを使用する誤り検出も担当する。コントローラ／プロセッサ６７５は、ステータス報告を使用してＲＬＣサブレイヤにおけるデータパケットのＡＣＫおよび／またはＮＡＣＫを示す無線リンク制御も担当する。上述のように、ＲＬＣサブレイヤＡＣＫ／ＮＡＣＫプロトコルは、ＨＡＲＱ  ＡＣＫ／ＮＡＣＫ動作よりも上位において動作してもよい。
【００５６】
[0066]図７を参照すると、ステータス報告管理を実施するのを可能にする図１のＵＥ１１５−ａの１つまたは複数の構成要素が、ステータス報告構成要素１０６に関して示されている。ＵＥ１１５−ａの１つまたは複数の構成要素の各々がソフトウェア、ハードウェア、ファームウェア、またはそれらの任意の組合せとして実施され得ることに留意されたい。上述のように、ＵＥ１１５−ａは概して、ｅＮＢによって送信されたデータパケットが正しく受信されたかどうかを示す１つまたは複数のステータス報告を提供するようにステータス報告構成要素１０６を動作させる。
【００５７】
[0067]本態様によれば、ＵＥ１２は、ｅＮｏｄｅＢによって送信されたデータパケットが正しく受信されたかどうかを示す１つまたは複数のステータス報告を提供するように構成されたステータス報告構成要素１０６とともに動作することができる１つまたは複数のプロセッサ７３３を含み得る。たとえば、ステータス報告構成要素１０６は、部分的な第１のステータス報告および第２のステータス報告を送信し得る。ステータス報告構成要素１０６は、ＲＦ信号を受信し処理するための受信機７４２と、ＲＦ信号を処理して送信するための送信機７４４とを含み得るトランシーバ７４０に通信可能に結合され得る。ステータス報告構成要素１０６は、いくつかの失われたデータパケットに応答して生成された第１のステータス報告が、いくつかの失われたデータパケットの数よりも少ない失われたデータパケットに関連する情報を含むかどうかを決定するためのステータス報告生成器７０２と、第１のステータス報告を送信するためのステータス報告送信機７１０と、ステータス禁止タイマーを無効化するためのステータス禁止タイマーコントローラ７１４とを含み得る。プロセッサ７３３は、少なくとも１つのバス７６０を介してトランシーバ７４０およびメモリ７３０に結合され得る。
【００５８】
[0068]受信機７４２は、データを受信するためのプロセッサによって実行可能なハードウェア、ファームウェア、および／またはソフトウェアコードを含み得、このコードは、命令を含み、メモリ（たとえば、コンピュータ可読媒体）に記憶される。受信機７４２は、たとえば、無線周波数（ＲＦ）受信機であり得る。一態様では、受信機７４２は、アクセスポイント１０５−ａによって送信された信号を受信し復号し得る。受信機７４２が信号によって搬送されたデータパケットを首尾よく復号できない場合（たとえば、ＣＲＣ障害）、そのデータパケットは失われたデータパケットと見なされ得る。
【００５９】
[0069]送信機７４４は、データを送信するためのプロセッサによって実行可能なハードウェア、ファームウェア、および／またはソフトウェアコードを含み得、このコードは、命令を含み、メモリ（たとえば、コンピュータ可読媒体）に記憶される。送信機７４４は、たとえば、ＲＦ送信機であり得る。送信機７４４は、アクセスポイント１０５−ａにステータス報告を送信し得る。たとえば、ＬＴＥシステムでは、送信機７４４はステータス報告を物理アップリンク共有チャネル（ＰＵＳＣＨ）上のデータとして送信し得る。
【００６０】
[0070]一態様では、１つまたは複数のプロセッサ７３３は、１つまたは複数のモデムプロセッサを使用するモデム７３８を含むことができる。ステータス報告構成要素１０６に関係する様々な機能は、モデム７３８および／またはプロセッサ７３３に含まれ得、一態様では、単一のプロセッサによって実行することができ、一方、他の態様では、それらの機能のうちのそれぞれに異なる機能が、２つまたはそれ以上の異なるプロセッサの組合せによって実行され得る。たとえば、一態様では、１つまたは複数のプロセッサ７３３は、トランシーバ７４０に関連するモデムプロセッサ、またはベースバンドプロセッサ、またはデジタル信号プロセッサ、または送信プロセッサ、またはトランシーバプロセッサのうちの任意の１つまたは任意の組合せを含み得る。詳細には、１つまたは複数のプロセッサ７３３は、ステータス報告構成要素１０６に含まれる構成要素を実装し得る。
【００６１】
[0071]たとえば、ＵＥ１１５−ａは、失われたいくつかのデータパケットを識別したことに応答してステータス報告を生成するためのステータス報告生成器７０２を実行し得る。一態様では、たとえば、ステータス報告生成器７０２は、ＵＥにおいて受信された複数のデータパケットのシーケンス内の失われたいくつかのデータパケットを識別したことに応答してステータス報告を生成するためのプロセッサ７３３によって実行可能なハードウェア、ファームウェア、および／またはソフトウェアコードを含み得、このコードは、命令を含み、メモリ（たとえば、コンピュータ可読媒体）に記憶される。ステータス報告生成器７０２は、シーケンス番号に従う受信されたデータパケットのための並べ替えキュー７０４を維持し得る。並べ替えキュー７０４は、たとえば、ＳＮに従って受信されたパケットを記憶するためのメモリ（たとえば、ＲＡＭ）を含み得る。ステータス報告生成器７０２は、ＳＮの受信ウィンドウ内に受信されたデータパケットを追跡し得る。ステータス報告生成器７０２は、受信されたデータパケット内のポーリングビットによってトリガされたときにステータス報告を生成し得る。
【００６２】
[0072]例示的な実装形態では、並べ替えキューのＳＮは、受信側係数底(receive side modulus base) ＶＲ（Ｒ）および最大受信（ＭＲ）ウィンドウサイズＶＲ（ＭＲ）によって定義される受信ウィンドウを含み得る。ＶＲ（Ｒ）は、最後の順序通り受信されたデータパケットの後に続くＳＮの値を保持する状態変数であり得る。ＶＲ（Ｒ）は、受信ウィンドウの下側エッジと見なされ得る。ＶＲ（ＭＲ）は、受信ウィンドウを越えた第１のデータパケットのＳＮの値を保持する状態変数であり得る。ＶＲ（ＭＲ）は、受信ウィンドウの上側エッジと見なされ得る。ステータス報告生成器７０２は、受信されたＳＮがＶＲ（Ｒ）ではない（たとえば、予期される受信されたパケットと実際の受信されたパケットとの間に差がある）ときにデータパケットが失われたと決定し得る。たとえば、ＵＥ１１５−ａが、ＶＲ（Ｒ）よりも大きいがＶＲ（ＭＲ）よりも小さいＳＮを有するデータパケットを受信すると、ステータス報告生成器７０２は、ＶＲ（Ｒ）と新たに受信されたＳＮとの間の、受信されたデータパケットを有さないＳＮは、失われていると決定し得る。言い換えれば、並べ替えキュー７０４が受信ウィンドウ内のＳＮに対応するデータパケットを含まない場合、そのＳＮに対応するデータパケットは失われていると見なされ得る。
【００６３】
[0073]ステータス報告生成器７０２は、ＡＣＫキュー７０６とＮＡＣＫキュー７０８とをさらに含み得る。ＡＣＫキュー７０６とＮＡＣＫキュー７０８の各々は、たとえばメモリ（たとえば、ＲＡＭ）を含み得る。ＡＣＫキュー７０６は、首尾よく受信されたデータパケットのＳＮを記憶し得る。ＮＡＣＫキュー７０８は、失われたデータパケットのＳＮを記憶し得る。ステータス報告生成器は、ステータス報告を生成するようにトリガされたときに、ＡＣＫキュー７０６の最高ＳＮとＮＡＣＫキュー７０８内の失われたデータパケットの０個以上のＳＮとを含むデータパケットを形成し得る。ステータス報告は、アップリンク許可サイズによって決定される単一のデータパケットのサイズ（たとえば、ＰＤＵ）に限定され得る。したがって、ステータス報告生成器７０２は、アップリンク許可サイズが制限されているときにすべての失われたデータパケットのＳＮをステータス報告に含めることができない場合がある。その代わり、ステータス報告生成器は、最大データパケットサイズまでのいくつかの失われたデータパケットに関連する情報（たとえば、ＳＮ）を含む第１のステータス報告を生成し得る。ＮＡＣＫキュー７０８内のあらゆる失われたデータパケットのＳＮを含むとは限らないステータス報告は、部分的ステータス報告と呼ばれ得る。ステータス報告生成器７０２は、ステータス報告が、ＮＡＣＫキュー７０８におけるいくつかの失われたデータパケットのすべてよりも少ない失われたデータパケットに関連する情報を含むときに、ステータス報告が部分的ステータス報告であると決定し得る。
【００６４】
[0074]さらに、たとえば、ＵＥ１１５−ａは、１つまたは複数のステータス報告をステータス報告信号１４２として送信するようにステータス報告送信機７１０を動作させ得る。一態様では、たとえば、ステータス報告送信機７１０は、１つまたは複数のステータス報告をアップリンク信号として送信するためのプロセッサ７３３によって実行可能なハードウェア、ファームウェア、および／またはソフトウェアコードを含み得、このコードは、命令を含み、メモリ（たとえば、コンピュータ可読媒体）に記憶される。一態様では、たとえば、ステータス報告送信機７１０は、ステータス報告生成器７０２と通信し、ステータス報告生成器７０２からステータス報告を受信するかまたはその他の方法で取得する。ステータス報告送信機７１０は、いくつかの失われたデータパケットの数よりも少ない失われたデータパケットを含む第１のステータス報告を送信し、次いで第１のステータス報告に含まれないいくつかの失われたデータパケットのうちの残りの失われたデータパケットに関連する情報を含む第２のステータス報告を送信し得る。したがって、ステータス報告送信機７１０は、失われたデータパケットに関連する情報を含み、さらに最大パケットサイズによって定義されるステータス報告信号１４２を送信し得る。
【００６５】
[0075]さらに、一態様では、たとえば、ステータス報告送信機７１０は、ＵＥ１１５−ａにおいてどんなリソース許可が受信されたかを識別する情報を受信するかまたはその他の方法で取得し得るリソース決定器７１２を含み得る。一態様では、たとえば、リソース決定器７１２は、アップリンク許可に基づいて最大データパケットサイズを決定するためのプロセッサ７３３によって実行可能なハードウェア、ファームウェア、および／またはソフトウェアコードを含み得、このコードは、命令を含み、メモリ（たとえば、コンピュータ可読媒体）に記憶される。したがって、アップリンク許可に基づいて、リソース決定器７１２は、ステータス報告を送信するのに利用可能なリソースを決定し得る。一態様では、リソース決定器７１２は、アップリンク許可において示されるリソースの部分をステータス報告に関連するベアラに割り振り得る。たとえば、リソース決定器７１２は、アップリンク許可全体をベアラに割り振ることが可能であり得る。別の態様では、リソース決定器７１２はアップリンク許可を複数のベアラ間で分割し得る。リソース決定器７１２は、割り振られたリソースに基づいてステータス報告に関するデータパケットの最大サイズを決定し、ステータス報告を生成する際に使用すべき最大パケットサイズをステータス報告生成器７０２に提供し得る。一態様では、リソース決定器７１２は、最大パケットサイズを決定するようにＭＡＣサブレイヤ５１０（図５）において動作し得る。
【００６６】
[0076]さらに、たとえば、ＵＥ１１５−ａは、ステータス禁止タイマー７１６を無効化すべきかどうかを決定するようにステータス禁止タイマーコントローラ７１４を動作させ得る。ステータス禁止タイマー７１６は、ＲＬＣサブレイヤ５１２（図５）に関連付けられ、連続するステータス報告間の持続時間が最短になるように構成され得る。たとえば、ステータス禁止タイマー７１６は、第１のステータス報告が送信されるときに始動し、最短持続時間後に満了し得る。一態様では、たとえば、ステータス禁止タイマーコントローラ７１４は、生成されたステータス報告が部分的ステータス報告であるとステータス報告生成器７０２が決定したときにステータス禁止タイマー７１６を無効化し得る。一態様では、ステータス禁止タイマーコントローラ７１４は、たとえば、部分的ステータス報告が送信されたときにステータス禁止タイマー７１６の始動を妨げるか、ステータス報告生成器７０２および／またはステータス報告送信機７１０を、ステータス禁止タイマー７１６を無視するように設定するか、またはステータス禁止タイマー７１６に設定された満了時間よりも早く（たとえば、ただちに）満了させることによって、ステータス禁止タイマー７１６を無効化し得る。一方、ステータス報告があらゆる失われたデータパケットに関連する情報を含む完全なステータス報告である（たとえば、ＮＡＣＫキュー７０８が空である）場合、ステータス禁止タイマーコントローラ７１４は、ステータス報告送信機７１０が完全なステータス報告を送信したことに応答してステータス禁止タイマー７１６を始動し得る。したがって、ステータス禁止タイマーコントローラ７１４は、送信されたステータス報告がいくつかの失われたデータパケットの数よりも少ない失われたデータパケットに関連する情報を含むかどうかに関するステータス報告生成器７０２の決定に基づいて、ステータス禁止タイマー７１６を無効化し得る。
【００６７】
[0077]さらに、ＵＥ１１５−ａは、受信機を離調期間の間、通信チャネルから離調させるように離調コントローラ７２０を動作させ得る。通信チャネルは、たとえば、アクセスポイント１０５−ａとの通信に使用されるキャリアであり得る。離調コントローラ７２０は、受信機を異なるエアインターフェース技術、異なる無線周波数、および／または第２のＳＩＭに関係するエアインターフェースに同調させ得る。離調期間の間、ＵＥ１１５−ａは、アクセスポイント１０５−ａから通信チャネル上で送信されたデータパケットを受信できない場合がある。したがって、ステータス報告生成器７０２は、離調期間の間に送信されたデータパケットは失われたパケットであると決定し得る。
【００６８】
[0078]さらに、一態様では、ＵＥ１１５−ａは、無線送信、たとえば、アクセスポイント１０５−ａによって送信された信号１４０およびＵＥ１１５−ａによって送信された信号１４２を受信し送信するためのＲＦフロントエンド７５０とトランシーバ７４０とを含み得る。たとえば、トランシーバ７４０は、アクセスポイント１０５−ａによって送信されたＰＤＳＣＨ上のデータパケットを受信し得る。ＵＥ１１５−ａは、メッセージ全体を受信したときに、パケットを復号し、パケットが正しく受信されたかどうかを決定するために巡回冗長検査（ＣＲＣ）を実行し得る。たとえば、トランシーバ７４０は、ステータス報告構成要素１０６によって生成されたステータス報告を送信し、メッセージを受信してステータス報告構成要素１０６に転送するようにモデム７３８と通信し得る。
【００６９】
[0079]ＲＦフロントエンド７５０は、１つまたは複数のアンテナ７７０に接続され得、ＲＦ信号を送信および受信するための１つまたは複数の低雑音増幅器（ＬＮＡ）７５１と、１つまたは複数のスイッチ７５２、７５３と、１つまたは複数の電力増幅器（ＰＡ）７５５と、１つまたは複数のフィルタ７５４とを含むことができる。一態様では、ＲＦフロントエンド７５０の構成要素はトランシーバ７４０と接続することができる。トランシーバ７４０は、１つまたは複数のモデム７３８とプロセッサ７３３とに接続し得る。
【００７０】
[0080]一態様では、ＬＮＡ７５１は、所望の出力レベルにおいて受信信号を増幅することができる。一態様では、各ＬＮＡ７５１は、指定された最小および最大利得値を有し得る。一態様では、ＲＦフロントエンド７５０は、特定の適用例のための所望の利得値に基づいて特定のＬＮＡ７５１およびその指定された利得値を選択するために、１つまたは複数のスイッチ７５２、７５３を使用し得る。
【００７１】
[0081]さらに、たとえば、１つまたは複数のＰＡ７５５は、所望の出力電力レベルにおいてＲＦ出力のための信号を増幅するために、ＲＦフロントエンド７５０によって使用され得る。一態様では、各ＰＡ７５５は、指定された最小および最大利得値を有し得る。一態様では、ＲＦフロントエンド７５０は、特定の適用例のための所望の利得値に基づいて特定のＰＡ７５５およびそれの指定された利得値を選択するために、１つまたは複数のスイッチ７５３、７５６を使用し得る。
【００７２】
[0082]また、たとえば、１つまたは複数のフィルタ７５４は、入力ＲＦ信号を取得するために、受信信号をフィルタ処理するためにＲＦフロントエンド７５０によって使用されることができる。同様に、一態様では、たとえば、それぞれのフィルタ７５４は、送信のための出力信号を生成するために、それぞれのＰＡ７５５からの出力をフィルタ処理するために使用されることができる。一態様では、各フィルタ７５４は、特定のＬＮＡ７５１および／またはＰＡ７５５に接続されることができる。一態様では、ＲＦフロントエンド７５０は、トランシーバ７４０および／またはプロセッサ１０３によって指定される構成に基づいて、指定されたフィルタ７５４、ＬＮＡ７５１、および／またはＰＡ７５５を使用する送信または受信経路を選択するために、１つまたは複数のスイッチ７５２、７５３、７５６を使用することができる。
【００７３】
[0083]トランシーバ７４０は、ＲＦフロントエンド７５０を介してアンテナ７７０を通してワイヤレス信号を送信および受信するように構成され得る。一態様では、トランシーバは、ＵＥ１２が、たとえば、アクセスポイント１０５と通信することができるように、指定された周波数において動作するように同調させられ得る。一態様では、たとえば、モデム７３８は、ＵＥ１１５−ａのＵＥ構成とモデム７３８によって使用される通信プロトコルとに基づいて、指定された周波数および電力レベルにおいて動作するようにトランシーバ７４０を構成することができる。
【００７４】
[0084]一態様では、モデム７３８は、デジタルデータがトランシーバ７４０を使用して送信および受信されるように、デジタルデータを処理し、トランシーバ７４０と通信することができる、マルチバンドマルチモードモデムであることができる。一態様では、モデム７３８はマルチバンドであることができ、特定の通信プロトコルのための複数の周波数帯域をサポートするように構成されることができる。一態様では、モデム７３８はマルチモードであることができる、複数の動作ネットワークおよび通信プロトコルをサポートするように構成されることができる。一態様では、モデム７３８は、指定されたモデム構成に基づいてネットワークからの信号の送信および／または受信を可能にするために、ＵＥ１１５−ａの１つまたは複数の構成要素（たとえば、ＲＦフロントエンド７５０、トランシーバ７４０）を制御することができる。一態様では、モデム構成は、モデムのモードと使用中の周波数帯域とに基づくことができる。別の態様では、モデム構成は、セル選択および／またはセル再選択中にネットワークによって与えられた、ＵＥ１１５−ａに関連するＵＥ構成情報に基づくことができる。
【００７５】
[0085]ＵＥ１２は、さらに、本明細書で使用されるデータおよび／またはアプリケーションのローカルバージョンを記憶するためなどのメモリ７３０、またはステータス報告構成要素１０６、および／またはプロセッサ７３３によって実行されているそれの副構成要素のうちの１つまたは複数を含み得る。メモリ７３０は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータまたはプロセッサ７３３によって使用可能な任意のタイプのコンピュータ可読媒体を含むことができる。一態様では、たとえば、ＵＥ１１５−ａが、ステータス報告構成要素１０６および／またはそれの副構成要素のうちの１つまたは複数を実行するようにプロセッサ７３３を動作させているとき、メモリ７３０は、ステータス報告構成要素１０６および／またはそれの副構成要素のうちの１つまたは複数を定義する１つまたは複数のコンピュータ実行可能コード、および／またはそれに関連付けられるデータを記憶するコンピュータ可読記憶媒体であり得る。別の態様では、たとえば、メモリ７３０は非一時的コンピュータ可読記憶媒体であり得る。
【００７６】
[0086]図８を参照すると、一態様では、特に、たとえば、離調動作に続いて、ＵＥによって受信されたダウンリンク通信に関するステータス報告を提供する方法８００の非制限的な一例。方法８００は、本明細書において説明するように、たとえば、ＵＥ１１５−ａにより、ステータス報告構成要素１０６を実行することによって実施され得る。態様については、本明細書において説明するアクションまたは機能を実行し得る１つまたは複数の構成要素および１つまたは複数の方法を参照して説明することに留意されたい。以下において説明する動作は、特定の順序において提示されならびに／あるいは例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、あるいは説明するアクションまたは機能を実行することが可能なハードウェア構成要素および／またはソフトウェア構成要素の任意の他の組合せによって実施され得ることを理解されたい。
【００７７】
[0087]方法８００は、ブロック８０２において、随意に、アップリンク許可に基づいて最大データパケットサイズを決定することを含み得る。一態様では、たとえば、リソース決定器７１２は、アップリンク許可に基づいて最大データパケットサイズを決定し得る。アップリンク許可は、アクセスポイント１０５−ａから受信され得る。リソース決定器７１２は、送信機会に関するトランスポートブロックサイズを決定するようにＭＡＣサブレイヤにおいて動作し得る。リソース決定器７１２は、様々なベアラの間でトランスポートブロックサイズをさらに分割し、各ベアラの最大データパケットサイズを決定し得る。リソース決定器７１２は、ステータス報告を生成するためにステータス報告生成器７０２に最大データパケットサイズを提供し得る。一態様では、最大データパケットサイズがアップリンク許可によって制限され、複数のベアラの間で分割され得るので、ステータス報告のサイズは制限され得る。
【００７８】
[0088]方法８００は、ブロック８０４において、随意に、ユーザ機器において受信された複数のデータパケットのシーケンス内のいくつかのデータパケットを受信しないことを含み得る。一例では、たとえば、離調コントローラ７２０は、離調を実行するように構成され得る。離調の間、ＵＥ１１５−ａの１つまたは複数のアンテナおよび／または受信チェーンは、別の周波数、無線アクセス技術ネットワーク、または（たとえば、異なるＳＩＭに関連する）加入を監視するのに使用され得る。たとえば、離調は、あるエアインターフェース技術、周波数、および／またはＳＩＭから、異なるエアインターフェース技術、異なる無線周波数、または異なる加入者識別モジュール（ＳＩＭ）、たとえば、第２のＳＩＭに関連するエアインターフェース（たとえば、第１のＳＩＭと第２のＳＩＭとを含むＵＥに関連する）への離調に関連付けられ得る。離調の間、ＵＥ１１５−ａまたはその受信機は、ＵＥ１１５−ａの離調元であるエアインターフェース技術、周波数、および／またはＳＩＭに関連して、たとえばアクセスポイント１０５−ａによってＵＥ１１５−ａに送信される複数のデータパケットのシーケンスのうちの１つまたは複数のデータパケットを受信することができないか、または正しく受信することがより困難であり得る。したがって、ＵＥ１１５−ａまたはその受信機は、離調の間いくつかのデータパケットを受信しないことがあり得る。一態様では、離調の間、アップリンク送信特性は変更されないことがあり得る。したがって、ＵＥ１１５−ａは、たとえば、離調の間および離調の後にアップリンク許可のサイズを維持し得る。
【００７９】
[0089]方法８００は、ブロック８０４において、最大データパケットサイズまでのいくつかの失われたデータパケットに関連する情報を含む第１のステータス報告を生成し得る。一態様では、たとえば、ステータス報告生成器７０２は、最大データパケットサイズまでのいくつかの失われたデータパケットに関連する情報を含む第１のステータス報告を生成し得る。
【００８０】
[0090]方法８００は、ブロック８０８において、ＵＥにおいて受信された複数のデータパケットのシーケンス内のいくつかの失われたデータパケットを識別したことに応答して生成された第１のステータス報告が、いくつかの失われたデータパケットの数よりも少ない失われたデータパケットに関連する情報を含むと決定し得る。一態様では、たとえば、ＵＥ１１５−ａは、ＵＥ１１５−ａにおいて受信された複数のデータパケットのシーケンス内のいくつかの失われたデータパケットに応答して生成された第１のステータス報告が、いくつかの失われたデータパケットの数よりも少ない失われたデータパケットに関連する情報を含むと決定するように構成されたステータス報告構成要素１０６および／またはステータス報告生成器７０２を含み得る。たとえば、ステータス報告構成要素１０６および／またはステータス報告生成器７０２は、第１のステータス報告がいくつかの失われたデータパケットの数よりも少ないいくつかのパケットに関する否定応答（ＮＡＣＫ）を含むと決定し得る。
【００８１】
[0091]方法８００は、ブロック８１０において、第１のステータス報告を送信することを含み得る。一態様では、たとえば、ＵＥ１１５−ａは、第１のステータス報告を送信するように構成されたステータス報告構成要素１０６および／またはステータス報告送信機７１０を含み得る。第１のステータス報告は第１の送信時間において送信され得る。たとえば、ステータス報告構成要素１０６および／またはステータス報告送信機７１０は、第１のステータス報告を含むデータパケットをステータス報告信号１４２として送信するために下位層に送ることができる。
【００８２】
[0092]方法８００は、ブロック８１２において、第１のステータス報告が、いくつかの失われたデータパケットの数よりも少ない失われたデータパケットに関連する情報を含むとの決定に基づいて、第１のステータス報告を送信したことに応答するステータス禁止タイマーを無効化することを含み得る。一態様では、たとえば、ＵＥ１１５−ａは、決定に基づいて、送信に応答するステータス禁止タイマー７１６を無効化するように構成されたステータス報告構成要素１０６および／またはステータス禁止タイマーコントローラ７１４を含み得る。ステータス禁止タイマー７１６は、ステータス報告が送信されたときに始動するようにネットワークによって構成され得る。しかしながら、ステータス禁止タイマーコントローラ７１４は、ステータス禁止タイマー７１６が第１のステータス報告が送信されたときに始動するのを妨げるようにステータス禁止タイマー７１６を無効化し得る。ステータス禁止タイマーコントローラ７１４は、ステータス禁止タイマー７１６をリセットするか、満了させるか、無視するか、またはその他の方法でステータス禁止タイマー７１６に第２のステータス報告を許容させることによってステータス禁止タイマー７１６を無効化し得る。
【００８３】
[0093]方法８００は、ブロック８１４において、随意に、第１のステータス報告に含まれていないいくつかの失われたデータパケットのうちの残りの失われたデータパケットに関連する情報を含む第２のステータス報告を送信することを含み得る。一態様では、たとえば、ステータス報告構成要素１０６および／またはステータス報告送信機７１０は、第１のステータス報告に含まれていないいくつかの失われたデータパケットのうちの残りの失われたデータパケットの少なくとも一部に関連する情報を含む第２のステータス報告を送信するようにさらに構成され得る。たとえば、ステータス報告構成要素１０６および／またはステータス報告送信機７１０は、第２のステータス報告を含むデータパケットをステータス報告信号１４２として送信するために下位層に送り得る。第２のステータス報告において送信される情報の量は、適用可能な許可に基づき得る。たとえば、許可サイズを大きくすると、より多くの失われたデータパケットに関連する情報を送信することが可能になり得る。一態様では、第２のステータス報告も、残りのデータパケットの数よりも少ないデータパケットに関連する情報を含む場合、ステータス報告構成要素１０６および／またはステータス報告送信機７１０は第３のステータス報告を送信し得、残りのデータパケットに関連する情報が送信されるまで同様にステータス報告を送信し得る。
【００８４】
[0094]図９を参照すると、メッセージ図９００は、ＵＥ１１５−ａと、たとえば、ｅＮＢであり得るアクセスポイント１０５−ａとの間で送信され得る例示的なデータパケットを示す。たとえば、ＵＥ１１５−ａは、ＸのＳＮを有するデータパケット９０２を受信し得る。ＵＥ１１５−ａは、データパケット９０２を首尾よく受信し得る。ＵＥ１１５−ａは次に、離調９０４を開始し得る。離調９０４の間、アクセスポイント１０５−ａは、それぞれＸ＋１、Ｘ＋２、およびＸ＋Ｎ−１のＳＮを有するデータパケット９０６、９０８、および９１０を送信し得る。アクセスポイント１０５−ａは、Ｘ＋２とＸ＋Ｎ−１との間のＳＮを有する他のデータパケット（図示せず）を送信し得る。離調のために、ＵＥ１１５−ａは、データパケット９０６、９０８、および９１０（および／またはＸ＋２とＸ＋Ｎ−１との間のＳＮを有する他のデータパケット（図示せず））のうちのいくつかまたはすべてを正しく受信し復号することができない場合がある。離調９０４の後、ＵＥ１１５−ａはＸ＋ＮのＳＮを有するデータパケット９１２を受信し得る。ＵＥ１１５−ａは、受信されたデータパケットを並べ替えた後、Ｘ＋１〜Ｘ＋Ｎ−１のＳＮを有するデータパケット、たとえば、データパケット９０６〜データパケット９１０が失われていると決定し得る。ＵＥ１１５−ａは次に、たとえば、Ｘ＋１およびＸ＋２のＳＮを受信されていないＳＮ（たとえば、ＮＡＣＫ）として識別する情報を含むステータス報告９１４を送信し得る。ＵＥ１１５−ａは、アップリンク許可によって課される最大データパケットサイズに起因してステータス報告９１４に追加の失われたＳＮを識別する追加の情報を含めることができない場合がある。したがって、ステータス報告９１４は、たとえば、Ｘ＋Ｎ−１のＳＮなどの失われたデータパケットのＳＮを含まない場合がある。ＵＥ１１５−ａは、ステータス報告９１４を送信したことに応答して時間９１６についてステータス禁止タイマーを始動させるように構成され得る。一態様では、ステータス禁止タイマーの時間９１６は離調９０４よりも長いことがあり得る。したがって、ステータス禁止タイマーは、始動された場合、ステータス報告９１４が関連するＳＮを含まない、データパケット９１０などの失われたデータパケットの再送信において顕著な遅延をもたらし得る。上述のように、ステータス禁止タイマーコントローラ７１４は、ステータス報告９１４が送信されたが、ＵＥ１１５−ａにおいて受信された複数のデータパケットのシーケンス、たとえば、ＳＮ  Ｘ＋１〜ＳＮ  Ｘ＋Ｎ−１のシーケンスにおける失われたデータパケットのすべてを識別する情報を含んでいないと決定したことに応答して、時間９１６の間ステータス禁止タイマーを無効化し得る。したがって、ＵＥ１１５−ａは、ステータス禁止タイマーが通常動作する時間９１６の間に、失われたデータパケットのうちの残りの失われたデータパケットのすべて（または一部）を含む識別する情報を含む別の、後続のステータス報告９１８を送信し得る。たとえば、後続のステータス報告９１８は、ステータス報告９１４の送信に続く、ＵＥ１１５−ａに利用可能な次の送信機会において送信され得る。ＵＥ１１５−ａは、後��のステータス報告９１８を送信した後の時間９２０についてステータス禁止タイマーを始動させ得る。一態様では、後続のステータス報告９１８も部分的ステータス報告である場合、ＵＥ１１５−ａは、時間９２０の間、すべての失われたデータパケットに関連する情報が送信されるまでステータス禁止タイマーを引き続き無効化し得る。言い換えれば、ステータス禁止タイマーが無効化されている間に１つまたは複数の後続のステータス報告９１８が送信され得、この場合、後続のステータス報告９１８の数は、（たとえば、アップリンク許可のサイズに基づく）各ステータス報告の許容サイズおよび失われたデータパケットのうちの（ステータス報告９１４および必要に応じて他の後続のステータス報告９１８を送信した後の）残りの失われたデータパケットを識別する情報のサイズによって決まる。
【００８５】
[0095]アクセスポイント１０５−ａは、ステータス報告９１４および後続のステータス報告９１８に応答してデータパケットを再送信し得る。たとえば、データパケット９２６は、データパケット９０６の再送信であり、Ｘ＋１のＳＮを含み得る。別の例として、データパケット９２８は、データパケット９０８の再送信であり、Ｘ＋２のＳＮを含み得る。また別の例として、データパケット９３０は、データパケット９１０の再送信であり、Ｘ＋ＮのＳＮを含み得る。ＵＥ１１５−ａは、再送信されたデータパケットを受信し、受信されたデータパケットはもはや失われていないと決定し得る。ＵＥ１１５−ａは、時間９１６の後、Ｘ＋ＮのＳＮまでのデータパケットが受信されていると肯定応答する、別のステータス報告９３２を送信し得る。
【００８６】
[0096]図１０は、本明細書において説明するようにＵＥ１１５−ａおよび／またはステータス報告構成要素１０６を実装し得る例示的な装置１００２における様々なモジュール／手段／構成要素間のデータフローを示す概念データフロー図１０００である。装置１００２は、たとえば、（たとえば、アクセスポイント１０５によって装置１００２に送信された）信号１４０を受信するように構成された受信機モジュール１００４と、ステータス報告構成要素１０６の機能を定める１つまたは複数のモジュールと、ステータス報告信号１４２を送信するように構成されたステータス報告送信機モジュール１０１０とを含む。
【００８７】
[0097]一態様では、受信機モジュール１００４は、１つまたは複数のチャネルを有し、１つまたは複数の許可１０３０とダウンリンクデータ１０３２とを含む信号１４０をアクセスポイント１０５から受信し、それぞれ、許可１０３０をステータス報告送信機モジュール１０１０に出力しダウンリンクデータ１０３２をステータス報告生成器モジュール１００６に出力し得る。ステータス報告生成器モジュール１００６は、ダウンリンクデータ１０３２に基づいてステータス報告を生成するようにステータス報告生成器７０２を実装し得る。その場合、ステータス報告生成器モジュール１００６は、ステータス報告１００８をステータス報告送信機モジュール１０１０に出力するか、あるいはその他の方法でステータス報告１００８をステータス報告送信機モジュール１０１０に対して表示するかまたはステータス報告送信機モジュール１０１０がステータス報告１００８にアクセスするのを可能にし得る。ステータス報告生成器モジュール１００６は、第２のステータス報告１０１８をステータス報告送信機モジュール１０１０に出力するか、またはその他の方法で第２のステータス報告１０１８をステータス報告送信機モジュール１０１０に提供し得る。ステータス報告生成器モジュール１００６は、ステータス報告１００８がいくつかの失われたデータパケットの数よりも少ないいくつかのデータパケットに関連する情報を含むとの決定１０１２を出力するか、あるいはその他の方法でそのような決定を表示するかまたはそのような決定にアクセスするのを可能にし得る。ステータス報告送信機モジュール１０１０は、リソース決定器７１２を含むステータス報告送信機７１０を実装し得、一方、ステータス禁止タイマー制御モジュール１０１４はステータス禁止タイマーコントローラ７１４を実装し得る。
【００８８】
[0098]ステータス報告送信機モジュール１０１０は、ステータス報告１００８を受信し、ステータス報告パケット１０１１をそれぞれワイヤレス送信モジュール１０２２に出力し得る。ワイヤレス送信モジュール１０２２は、アクセスポイント１０５へのステータス報告信号１４２としてワイヤレス送信するためにキャリアをステータス報告パケット１０１１とともに変調し得る。ステータス報告送信機モジュール１０１０は、許可１０３０に基づいて最大データパケットサイズ１０３４をさらに決定し得る。ステータス報告送信機モジュール１０１０は、ステータス報告が最大パケットサイズ内に収まるようにステータス報告を生成するためにステータス報告生成器モジュール１００６に最大データパケットサイズ１０３４を提供し得る。
【００８９】
[0099]ステータス禁止タイマー制御モジュール１０１４は、決定１０１２に基づいて制御信号１０１６をステータス報告送信機モジュール１０１０に出力し得る。ステータス報告送信機モジュール１０１０は、ステータス禁止タイマー制御モジュール１０１４によって提供される制御信号１０１６に基づいてステータス報告信号１４２を送信し得る。たとえば、制御信号１０１６は、ステータス禁止時間が満了したかまたは無効化されたとステータス禁止タイマー制御モジュール１０１４が決定するまでステータス報告送信機モジュール１０１０がステータス報告を送信するのを妨げ得る。
【００９０】
[0100]装置１００２は、離調モジュール１０２０をさらに含み得る。離調モジュール１０２０は、離調を実行するために受信機モジュール１００４に制御信号１０２３を出力し得る。制御信号１０２３は、受信機モジュール１００４に異なる周波数上の信号、異なる無線アクセス技術を使用する信号、または装置１００２の第２のＳＩＭに関連する信号を受信させ得る。
【００９１】
[0101]装置１００２は、図８および図９において説明した方法およびメッセージングのステップの各々を実行する追加のモジュールを含み得る。したがって、上述の方法およびフローにおける各ステップは、１つのモジュールによって実行され得、装置１２０２は、それらのモジュールのうちの１つまたは複数を含み得る。モジュールは、述べられたプロセス／アルゴリズムを行うように特に構成された１つまたは複数のハードウェア構成要素であり得、述べられたプロセス／アルゴリズムを実行するように構成されたプロセッサによって実装され得、プロセッサによる実装のためにコンピュータ可読媒体内に記憶され得、あるいはそれらの何らかの組合せであり得る。
【００９２】
[0102]図１１は、処理システム１１１４を使用する装置１２０２’のハードウェア実装形態の例を示す図１１００である。処理システム１１１４は、バス１１２４によって全体的に表される、バスアーキテクチャを用いて実装され得る。バス１１２４は、処理システム１１１４の特定の適用例および全体的な設計制約に応じて、任意の数の相互接続バスとブリッジとを含み得る。バス１１２４は、プロセッサ１１０４、ステータス報告構成要素１０６およびその構成要素（ステータス報告生成器モジュール１００６、ステータス報告送信機モジュール１０１０、ステータス禁止タイマー制御モジュール１０１４を含む）、離調モジュール１０２０、およびコンピュータ可読媒体１１０６によって表される、１つまたは複数のプロセッサおよび／またはハードウェアモジュールを含む様々な回路を互いにリンクする。バス１１２４はまた、タイミングソース、周辺装置、電圧調整器、および電力管理回路など、様々な他の回路をリンクし得るが、これらの回路は当技術分野においてよく知られており、したがって、これらの回路についてはこれ以上説明しない。
【００９３】
[0103]処理システム１１１４は、受信機モジュール１００４とワイヤレス送信モジュール１０２２とを含み得るトランシーバ１１１０に結合され得る。トランシーバ１１１０は１つまたは複数のアンテナ１１２０に結合される。トランシーバ１１１０は、送信媒体を介して様々な他の装置と通信するための手段を提供する。処理システム１１１４は、コンピュータ可読媒体１１０６に結合されるプロセッサ１１０４を含む。プロセッサ１１０４は、コンピュータ可読媒体１１０６に記憶されたソフトウェアの実行を含む一般的な処理を担当する。ソフトウェアは、プロセッサ１１０４によって実行されたときに、処理システム１１１４に、任意の特定の装置のための上記で説明した様々な機能を実行させる。コンピュータ可読媒体１１０６はまた、ソフトウェアを実行するときにプロセッサ１１０４によって処理されたデータを記憶するために使用され得る。処理システムは、少なくともステータス報告構成要素１０６のそれぞれのモジュールをさらに含む。モジュール／構成要素は、コンピュータ可読媒体１１０６中に存在する／記憶された、プロセッサ１１０４内で動作するソフトウェアモジュールであり得、プロセッサ１１０４に結合された１つまたは複数のハードウェアモジュールであり得、あるいはそれらの何らかの組合せであり得る。処理システム１１１４は、ＵＥ１１５−ａなどまたはＵＥ６５０などのＵＥの構成要素であり得、メモリ６６０、および／またはＴＸプロセッサ６６８と、ＲＸプロセッサ６５６と、コントローラ／プロセッサ６５９とのうちの少なくとも１つを含み得、これらのプロセッサの任意の組合せによってステータス報告構成要素１０６を実装し得る。
【００９４】
[0104]一構成では、ワイヤレス通信のための装置１２０２／１２０２’は、失われたいくつかのデータパケットに応答して生成された第１のステータス報告が、いくつかの失われたデータパケットの数よりも少ない失われたデータパケットに関連する情報を含むと決定するための手段と、第１のステータス報告を送信するための手段と、決定に基づいてステータス禁止タイマーの始動を禁止するための手段とを含む。上述の手段は、上述の手段によって具陳された機能を実行するように構成された装置１００２’の処理システム１１１４および／または装置１００２の上述のモジュールのうちの１つまたは複数であり得る。上記で説明したように、処理システム１１１４は、ＴＸプロセッサ６６８、ＲＸプロセッサ６５６、およびコントローラ／プロセッサ６５９のうちの少なくとも１つを含み得る。したがって、一構成では、上述の手段は、上述の手段によって具陳された機能を実行するように構成されたＴＸプロセッサ６６８、ＲＸプロセッサ６５６、およびコントローラ／プロセッサ６５９のうちの少なくとも１つであり得る。
【００９５】
[0105]本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラムおよび／またはコンピュータであってもよいが、これらに限定されない。例として、コンピューティングデバイス上で実行されるアプリケーションと、そのコンピューティングデバイスの両方が構成要素であってもよい。１つまたは複数の構成要素がプロセスおよび／または実行スレッド内に存在することができ、１つの構成要素が１つのコンピュータ上に配置されてもよく、ならびに／あるいは２つ以上のコンピュータ間に分散されてもよい。加えて、これらの構成要素は、様々なデータ構造を記憶している様々なコンピュータ可読媒体から実行することができる。これらの構成要素は、信号を介して、ローカルシステム、分散システム内の別の構成要素と相互作用し、ならびに／あるいはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信してもよい。
【００９６】
[0106]さらに、本明細書では、ワイヤード端末またはワイヤレス端末であり得るＵＥに関する様々な態様について説明する。ＵＥは、システム、デバイス、加入者ユニット、加入者局、移動局、モバイル、モバイルデバイス、リモート局、リモート端末、アクセス端末、ユーザ端末、端末、通信デバイス、ユーザエージェント、またはユーザデバイスと呼ばれることもある。ＵＥは、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであってもよい。さらに、本明細書では基地局に関する様々な態様について説明する。基地局は、ＵＥまたはワイヤレス端末と通信するために利用されてもよく、アクセスポイント、ｅＮｏｄｅＢ、または何らかの他の用語で呼ばれることもある。
【００９７】
[0107]さらに、「または」という用語は、排他的な「または」ではなく、包括的な「または」を意味するものとする。すなわち、別段に規定されていない限り、または文脈から明らかでない限り、「ＸはＡまたはＢを使用する」という句は、自然包括的並べ替えのいずれかを意味するものとする。すなわち、「ＸはＡまたはＢを使用する」という語句は、以下の場合、すなわち、ＸがＡを使用する場合、ＸがＢを使用する場合、またはＸがＡとＢの両方を使用する場合のうちのいずれかによって満足される。その上、冠詞「ａ」および「ａｎ」は、本出願と添付の特許請求の範囲とで使用されるとき、別段に規定されていない限り、または単数形を対象とすべきであると文脈から明らかでない限り、通常、「１つまたは複数」を意味すると解釈されるべきである。
【００９８】
[0108]本明細書で説明した技法は、ＬＴＥ、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用されてもよい。「システム」および「ネットワーク」という用語は、しばしば互換的に使用される。ＣＤＭＡシステムは、ユニバーサル地上波無線アクセス（ＵＴＲＡ：Universal Terrestrial Radio Access）、ｃｄｍａ２０００などの無線技術を実装してもよい。ＵＴＲＡは、広帯域ＣＤＭＡ（Ｗ−ＣＤＭＡ）と、ＣＤＭＡの他の変形形態とを含む。さらに、ｃｄｍａ２０００は、ＩＳ−２０００規格と、ＩＳ−９５規格と、ＩＳ−８５６規格とをカバーする。ＴＤＭＡシステムは、モバイル通信用グローバルシステム（ＧＳＭ）などの無線技術を実装してもよい。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実装してもよい。ＵＴＲＡおよびＥ−ＵＴＲＡは、ユニバーサルモバイル電気通信システム（ＵＭＴＳ）の一部である。３ＧＰＰロングタームエボリューション（ＬＴＥ）は、ダウンリンク上ではＯＦＤＭＡを使用し、アップリンク上ではＳＣ−ＦＤＭＡを使用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ）と称する団体からの文書に記載されている。さらに、ｃｄｍａ２０００およびＵＭＢは、「第３世代パートナーシッププロジェクト２」（３ＧＰＰ２）と称する団体からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含んでもよい。
【００９９】
[0109]いくつかのデバイス、構成要素、モジュールなどを含み得るシステムに関して様々な態様または特徴を提示した。様々なシステムは、追加のデバイス、構成要素、モジュールなどを含んでもよく、ならびに／あるいは各図に関連して説明するデバイス、構成要素、モジュールなどのすべてを含むとは限らないことを理解および諒解されたい。これらの手法の組合せが使用されてもよい。
【０１００】
[0110]本明細書において開示する実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行されてもよい。汎用プロセッサはマイクロプロセッサであってもよいが、代替として、プロセッサは任意の従来のプロセッサ、コントローラ、マイクロコントローラ、または状態機械であってもよい。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装されてもよい。さらに、少なくとも１つのプロセッサは、上記で説明したステップおよび／またはアクションのうちの１つまたは複数を実行するように動作可能な１つまたは複数のモジュールを備えてもよい。
【０１０１】
[0111]さらに、本明細書で開示する態様に関して説明した方法またはアルゴリズムのステップおよび／またはアクションは、直接ハードウェアにおいて実施されるか、プロセッサによって実行されるソフトウェアモジュールにおいて実施されるか、またはその２つの組合せにおいて実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在してもよい。例示的な記憶媒体は、プロセッサが記憶媒体から情報を読み取り、記憶媒体に情報を書き込むことができるようにプロセッサに結合されてもよい。代替として、記憶媒体はプロセッサに一体化されてもよい。さらに、いくつかの態様では、プロセッサおよび記憶媒体はＡＳＩＣに存在してもよい。さらに、ＡＳＩＣはユーザ端末中に存在してもよい。代替として、プロセッサおよび記憶媒体は、ユーザ端末中の個別構成要素として存在してもよい。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして存在してもよい。
【０１０２】
[0112]１つまたは複数の態様では、説明した機能は、ハードウェア、ソフトウェア、ファームウェア、またはそれらの任意の組合せとして実装されてもよい。ソフトウェアとして実装される場合、機能は、１つまたは複数の命令またはコードとしてコンピュータ可読媒体上に記憶されるか、あるいはコンピュータ可読媒体上で送信されてもよい。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であってもよい。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされてもよい、任意の他の媒体を備えることができる。また、いかなる接続もコンピュータ可読媒体と呼ばれる場合がある。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用する場合、ディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびブルーレイ（登録商標）ディスク（disc）を含み、ディスク（disk）は、通常、データを磁気的に再生し、ディスク（disc）は、通常データをレーザーで光学的に再生する。上記の組合せもコンピュータ可読媒体の範囲内に含まれるべきである。
【０１０３】
[0113]上記の開示は、例示的な態様および／または実施形態について論じたが、添付の特許請求の範囲によって定義された記載の態様および／または実施形態の範囲から逸脱することなく、様々な変更および改変が本明細書で行われ得ることに留意されたい。さらに、記載の態様および／または実施形態の要素は、単数形で説明または特許請求されていることがあるが、単数形に限定することが明示的に述べられていない限り、複数形が企図される。さらに、任意の態様および／または実施形態のすべてまたは一部は、別段に記載されていない限り、任意の他の態様および／または実施形態のすべてまたは一部とともに利用されてもよい。
【図１】
2017539129.tif 000003
【図２】
2017539129.tif 000004
【図３】
2017539129.tif 000005
【図４】
2017539129.tif 000006
【図５】
2017539129.tif 000007
【図６】
2017539129.tif 000008
【図７】
2017539129.tif 000009
【図８】
2017539129.tif 000010
【図９】
2017539129.tif 000011
【図１０】
2017539129.tif 000012
【図１１】
2017539129.tif 000013
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
データパケットの受信ステータスを報告することに関するワイヤレス通信の方法であって、
ユーザ機器（ＵＥ）において受信された複数のデータパケットのシーケンス内のいくつかの失われたデータパケットを識別したことに応答して生成された第１のステータス報告が、前記いくつかの失われたデータパケットのすべてよりも少ない失われたデータパケットに関連する情報を含むと、前記ＵＥによって決定することと、
前記第１のステータス報告を送信することと、
前記決定に基づいて、前記送信に応答するステータス禁止タイマーを無効化することと、
前記第１のステータス報告に含まれていない前記いくつかの失われたデータパケットのうちの残りの失われたデータパケットの少なくとも一部に関連する情報を含む第２のステータス報告を送信することと
を備え、
ここにおいて前記第２のステータス報告は、前記ステータス禁止タイマーが前記第１のステータス報告の前記送信に応答して始動された場合に前記ステータス禁止タイマーが満了していたであろう時間よりも前に送信される、方法。
【請求項２】
前記第２のステータス報告は、前記第１のステータス報告の送信時間に前記ステータス禁止タイマーの持続時間を加えた時間に等しい時間よりも前に送信される、請求項１に記載の方法。
【請求項３】
前記第１のステータス報告は、制限されたアップリンク許可サイズに起因して前記いくつかの失われたデータパケットのすべてよりも少ない失われたデータパケットに関連する前記情報を含む、請求項１に記載の方法。
【請求項４】
アップリンク許可を受信することと、
前記アップリンク許可に基づいて最大データパケットサイズを決定することと、ここにおいて、前記最大データパケットサイズが、前記いくつかの失われたデータパケットのすべてに関する前記情報を報告するには不十分である、
前記最大データパケットサイズまでの前記いくつかの失われたデータパケットに関連する前記情報を含む前記第１のステータス報告を生成することと
をさらに備える、請求項３に記載の方法。
【請求項５】
前記いくつかの失われたデータパケットのすべてよりも少ない失われたデータパケットに関連する前記情報を含むように前記第１のステータス報告を生成することをさらに備え、ここにおいて、前記いくつかの失われたデータパケットは、前記ＵＥによる離調の間に失われる、請求項１に記載の方法。
【請求項６】
前記離調を実行することをさらに備え、ここにおいて、前記離調が、
異なるエアインターフェース技術への離調、
異なる無線周波数への離調、または
前記複数のデータパケットの前記シーケンスを受信することに関連する第１の加入者識別モジュール（ＳＩＭ）とは異なる第２のＳＩＭに関係するエアインターフェースへの離調
のうちの少なくとも１つに関連する、請求項５に記載の方法。
【請求項７】
前記ステータス禁止タイマーの前記無効化は、無線リンク制御（ＲＬＣ）レイヤにおける無効化をさらに備える、請求項１に記載の方法。
【請求項８】
前記いくつかの失われたデータパケットのすべてよりも少ない失われたデータパケットに関連する前記情報を含むように前記第１のステータス報告を生成することをさらに備え、ここにおいて、前記いくつかの失われたデータパケットのすべてよりも少ない失われたデータパケットに関連する前記情報は、否定応答（ＮＡＣＫ）と、前記いくつかの失われたデータパケットのすべてよりも少ない失われたデータパケットの対応するシーケンス番号の識別情報とを含む、請求項１に記載の方法。
【請求項９】
データパケットの受信ステータスを報告することに関するワイヤレス通信のためのユーザ機器（ＵＥ）であって、
第１のステータス報告を含むデータパケットをワイヤレスに送受信するように構成されたトランシーバと、
前記トランシーバによって受信されたデータパケットのレコードを記憶するように構成されたメモリと、
前記トランシーバおよび前記メモリに通信可能に結合されたプロセッサと
を備え、前記プロセッサが、
前記ＵＥにおいて受信された複数のデータパケットのシーケンス内のいくつかの失われたデータパケットを識別したことに応答して生成された前記第１のステータス報告が、前記いくつかの失われたデータパケットの数よりも少ない失われたデータパケットに関連する情報を含むと決定することと、
前記トランシーバを介して前記第１のステータス報告の送信を開始することと、
前記決定に基づいて、前記送信に応答するステータス禁止タイマーを無効化することと、
前記第１のステータス報告に含まれていない前記いくつかの失われたデータパケットのうちの残りの失われたデータパケットの少なくとも一部に関連する情報を含む第２のステータス報告の送信を前記トランシーバを介して開始することと
を行うように構成され、
ここにおいて、前記プロセッサは、前記ステータス禁止タイマーが前記第１のステータス報告の前記送信に応答して始動された場合に前記ステータス禁止タイマーが満了していたであろう時間よりも前に前記第２のステータス報告の送信を開始するように構成される、ＵＥ。
【請求項１０】
前記プロセッサは、前記第１のステータス報告の送信時間に前記ステータス禁止タイマーの持続時間を加えた時間に等しい時間よりも前に前記第２のステータス報告の送信を開始するように構成される、請求項９に記載のＵＥ。
【請求項１１】
前記第１のステータス報告は、制限されたアップリンク許可サイズに起因して前記いくつかの失われたデータパケットの数よりも少ない失われたデータパケットに関連する前記情報を含む、請求項９に記載のＵＥ。
【請求項１２】
前記トランシーバは、アップリンク許可を受信するように構成され、
前記プロセッサは、前記アップリンク許可に基づいて最大データパケットサイズを決定するように構成され、ここにおいて、前記最大データパケットサイズが、前記いくつかの失われたデータパケットに関する情報を報告するには不十分である、請求項１１に記載のＵＥ。
【請求項１３】
前記いくつかの失われたデータパケットは、前記ＵＥによる離調の間に失われる、請求項９に記載のＵＥ。
【請求項１４】
前記離調は、
異なるエアインターフェース技術への離調、
異なる無線周波数への離調、または
前記装置に関連する第２の加入者識別モジュール（ＳＩＭ）に関係するエアインターフェースへの離調
のうちの少なくとも１つに関連し、ここにおいて、前記装置は、前記複数のデータパケットの前記シーケンスを受信することに関連する第１のＳＩＭと前記第２のＳＩＭとをさらに備える、請求項１３に記載のＵＥ。
【請求項１５】
前記ステータス禁止タイマーは、無線リンク制御（ＲＬＣ）レイヤに関連する、請求項９に記載のＵＥ。
【請求項１６】
前記いくつかの失われたデータパケットの数よりも少ない失われたデータパケットに関連する情報は、否定応答（ＮＡＣＫ）と、前記いくつかの失われたデータパケットの数よりも少ない失われたデータパケットの対応するシーケンス番号の識別情報とを含む、請求項９に記載のＵＥ。
【請求項１７】
データパケットの受信ステータスを報告することに関するワイヤレス通信のためのユーザ機器（ＵＥ）であって、
前記ＵＥにおいて受信された複数のデータパケットのシーケンス内のいくつかの失われたデータパケットを識別したことに応答して生成された第１のステータス報告が、前記いくつかの失われたデータパケットのすべてよりも少ない失われたデータパケットに関連する情報を含むと、前記ＵＥにおいて決定するための手段と、
前記第１のステータス報告を送信するための手段と、
前記決定に基づいて、前記第１のステータス報告を送信したことに応答するステータス禁止タイマーを無効化するための手段と、
を備え、
前記送信するための手段はさらに、前記ステータス禁止タイマーが前記第１のステータス報告の前記送信に応答して始動された場合に前記ステータス禁止タイマーが満了していたであろう時間よりも前に、前記第１のステータス報告に含まれていない前記いくつかの失われたデータパケットのうちの残りの失われたデータパケットの少なくとも一部に関連する情報を含む第２のステータス報告を送信するためのものである、ＵＥ。
【請求項１８】
アップリンク許可を受信するための手段と、
前記アップリンク許可に基づいて最大データパケットサイズを決定するための手段と、ここにおいて、前記最大データパケットサイズが、前記いくつかの失われたデータパケットのすべてに関する前記情報を報告するには不十分である、
前記最大データパケットサイズまでの前記いくつかの失われたデータパケットに関連する情報を含む前記第１のステータス報告を生成するための手段と
をさらに備える、請求項１７に記載のＵＥ。
【請求項１９】
受信機を離調期間の間、通信チャネルから離調させるための手段をさらに備え、ここにおいて、前記いくつかの失われたデータパケットは前記離調期間の間に失われる、請求項１７に記載のＵＥ。
【請求項２０】
前記受信機を前記通信チャネルから離調させるための前記手段は、
異なるエアインターフェース技術への離調、
異なる無線周波数への離調、または
前記複数のデータパケットの前記シーケンスを受信することに関連する第１の加入者識別モジュール（ＳＩＭ）とは異なる第２のＳＩＭに関係するエアインターフェースへの離調
を行うための手段である、請求項１９に記載のＵＥ。
【請求項２１】
ワイヤレス通信においてデータパケットの受信ステータスを報告するためのコンピュータ実行可能コードを記憶するコンピュータ可読媒体であって、
ユーザ機器（ＵＥ）において受信された複数のデータパケットのシーケンス内のいくつかの失われたデータパケットを識別したことに応答して生成された第１のステータス報告が、前記いくつかの失われたデータパケットのすべてよりも少ない失われたデータパケットに関連する情報を含むと、前記ＵＥによって決定するためのコードと、
前記第１のステータス報告を送信するためのコードと、
前記決定に基づいて、前記送信に応答するステータス禁止タイマーを無効化するためのコードと、
前記第１のステータス報告に含まれていない前記いくつかの失われたデータパケットのうちの残りの失われたデータパケットに関連する情報を含む第２のステータス報告を送信するためのコードと
を備えるコンピュータ可読媒体。
【請求項２２】
アップリンク許可を受信するためのコードと、
前記アップリンク許可に基づいて最大データパケットサイズを決定するためのコードと
をさらに備え、ここにおいて、前記最大データパケットサイズは、単一のパケットにおいて前記いくつかの失われたデータパケットに関する情報を報告するには不十分な最大パケットサイズであり、前記第１のステータス報告は、前記不十分な最大パケットサイズに起因して前記いくつかの失われたデータパケットの数よりも少ない失われたデータパケットに関連する前記情報を含む、請求項２１に記載のコンピュータ可読媒体。
【手続補正２】
【補正対象書類名】明細書
【補正対象項目名】０１０３
【補正方法】変更
【補正の内容】
【０１０３】
[0113]上記の開示は、例示的な態様および／または実施形態について論じたが、添付の特許請求の範囲によって定義された記載の態様および／または実施形態の範囲から逸脱することなく、様々な変更および改変が本明細書で行われ得ることに留意されたい。さらに、記載の態様および／または実施形態の要素は、単数形で説明または特許請求されていることがあるが、単数形に限定することが明示的に述べられていない限り、複数形が企図される。さらに、任意の態様および／または実施形態のすべてまたは一部は、別段に記載されていない限り、任意の他の態様および／または実施形態のすべてまたは一部とともに利用されてもよい。
以下に本願の出願当初の特許請求の範囲に記載された発明を付記する。
［Ｃ１］
データパケットの受信ステータスを報告することに関するワイヤレス通信の方法であって、
ユーザ機器（ＵＥ）において受信された複数のデータパケットのシーケンス内のいくつかの失われたデータパケットを識別したことに応答して生成された第１のステータス報告が、前記いくつかの失われたデータパケットのすべてよりも少ない失われたデータパケットに関連する情報を含むと、前記ＵＥによって決定することと、
前記第１のステータス報告を送信することと、
前記決定に基づいて、前記送信に応答するステータス禁止タイマーを無効化することとを備える方法。
［Ｃ２］
前記第１のステータス報告に含まれていない前記いくつかの失われたデータパケットのうちの残りの失われたデータパケットの少なくとも一部に関連する情報を含む第２のステータス報告を送信することをさらに備える、Ｃ１に記載の方法。
［Ｃ３］
前記第２のステータス報告は、前記第１のステータス報告の送信時間に前記ステータス禁止タイマーの持続時間を加えた時間に等しい時間よりも前に送信される、Ｃ２に記載の方法。
［Ｃ４］
前記第２のステータス報告は、前記ステータス禁止タイマーが前記第１のステータス報告の前記送信に応答して始動された場合に前記ステータス禁止タイマーが満了していたであろう時間よりも前に送信される、Ｃ２に記載の方法。
［Ｃ５］
前記第１のステータス報告は、制限されたアップリンク許可サイズに起因して前記いくつかの失われたデータパケットのすべてよりも少ない失われたデータパケットに関連する前記情報を含む、Ｃ１に記載の方法。
［Ｃ６］
アップリンク許可を受信することと、
前記アップリンク許可に基づいて最大データパケットサイズを決定することと、ここにおいて、前記最大データパケットサイズが、前記いくつかの失われたデータパケットのすべてに関する情報を報告するには不十分である、
前記最大データパケットサイズまでの前記いくつかの失われたデータパケットに関連する前記情報を含む前記第１のステータス報告を生成することとをさらに備える、Ｃ５に記載の方法。
［Ｃ７］
前記いくつかの失われたデータパケットのすべてよりも少ない失われたデータパケットに関連する前記情報を含むように前記第１のステータス報告を生成することをさらに備え、ここにおいて、前記いくつかの失われたデータパケットは、前記ＵＥによる離調の間に失われる、Ｃ１に記載の方法。
［Ｃ８］
前記離調を実行することをさらに備え、ここにおいて、前記離調が、
異なるエアインターフェース技術への離調、
異なる無線周波数への離調、または
前記複数のデータパケットの前記シーケンスを受信することに関連する第１の加入者識別モジュール（ＳＩＭ）とは異なる第２のＳＩＭに関係するエアインターフェースへの離調のうちの少なくとも１つに関連する、Ｃ７に記載の方法。
［Ｃ９］
前記ステータス禁止タイマーの前記無効化は、無線リンク制御（ＲＬＣ）レイヤにおける無効化をさらに備える、Ｃ１に記載の方法。
［Ｃ１０］
前記いくつかの失われたデータパケットのすべてよりも少ない失われたデータパケットに関連する前記情報を含むように前記第１のステータス報告を生成することをさらに備え、ここにおいて、前記いくつかの失われたデータパケットのすべてよりも少ない失われたデータパケットに関連する前記情報は、否定応答（ＮＡＣＫ）と、前記いくつかの失われたデータパケットのすべてよりも少ない失われたデータパケットの対応するシーケンス番号の識別情報とを含む、Ｃ１に記載の方法。
［Ｃ１１］
データパケットの受信ステータスを報告することに関するワイヤレス通信のためのユーザ機器（ＵＥ）であって、
第１のステータス報告を含むデータパケットをワイヤレスに送受信するように構成されたトランシーバと、
前記トランシーバによって受信されたデータパケットのレコードを記憶するように構成されたメモリと、
前記トランシーバおよび前記メモリに通信可能に結合されたプロセッサとを備え、前記プロセッサが、
前記ＵＥにおいて受信された複数のデータパケットのシーケンス内のいくつかの失われたデータパケットを識別したことに応答して生成された前記第１のステータス報告が、前記いくつかの失われたデータパケットの数よりも少ない失われたデータパケットに関連する情報を含むと決定することと、
前記トランシーバを介して前記第１のステータス報告の送信を開始することと、
前記決定に基づいて、前記送信に応答するステータス禁止タイマーを無効化することとを行うように構成されるＵＥ。
［Ｃ１２］
前記プロセッサは、
前記第１のステータス報告に含まれていない前記いくつかの失われたデータパケットのうちの残りの失われたデータパケットの少なくとも一部に関連する情報を含む第２のステータス報告の送信を前記トランシーバを介して開始するようにさらに構成される、Ｃ１１に記載のＵＥ。
［Ｃ１３］
前記プロセッサは、前記第１のステータス報告の送信時間に前記ステータス禁止タイマーの持続時間を加えた時間に等しい時間よりも前に前記第２のステータス報告の送信を開始するように構成される、Ｃ１２に記載のＵＥ。
［Ｃ１４］
前記プロセッサは、前記ステータス禁止タイマーが前記第１のステータス報告の前記送信に応答して始動された場合に前記ステータス禁止タイマーが満了していたであろう時間よりも前に前記第２のステータス報告の送信を開始するように構成される、Ｃ１２に記載のＵＥ。
［Ｃ１５］
前記第１のステータス報告は、制限されたアップリンク許可サイズに起因して前記いくつかの失われたデータパケットの数よりも少ない失われたデータパケットに関連する前記情報を含む、Ｃ１１に記載のＵＥ。
［Ｃ１６］
前記トランシーバは、アップリンク許可を受信するように構成され、
前記プロセッサは、前記アップリンク許可に基づいて最大データパケットサイズを決定するように構成され、ここにおいて、前記最大データパケットサイズが、前記いくつかの失われたデータパケットに関する情報を報告するには不十分である、Ｃ１５に記載のＵＥ。
［Ｃ１７］
前記いくつかの失われたデータパケットは、前記ＵＥによる離調の間に失われる、Ｃ１１に記載のＵＥ。
［Ｃ１８］
前記離調は、
異なるエアインターフェース技術への離調、
異なる無線周波数への離調、または
前記装置に関連する第２の加入者識別モジュール（ＳＩＭ）に関係するエアインターフェースへの離調のうちの少なくとも１つに関連し、ここにおいて、前記装置は、前記複数のデータパケットの前記シーケンスを受信することに関連する第１のＳＩＭと前記第２のＳＩＭとをさらに備える、Ｃ１７に記載のＵＥ。
［Ｃ１９］
前記ステータス禁止タイマーは、無線リンク制御（ＲＬＣ）レイヤに関連する、Ｃ１１に記載のＵＥ。
［Ｃ２０］
前記いくつかの失われたデータパケットの数よりも少ない失われたデータパケットに関連する情報は、否定応答（ＮＡＣＫ）と、前記いくつかの失われたデータパケットの数よりも少ない失われたデータパケットの対応するシーケンス番号の識別情報とを含む、Ｃ１１に記載のＵＥ。
［Ｃ２１］
データパケットの受信ステータスを報告することに関するワイヤレス通信のためのユーザ機器（ＵＥ）であって、
前記ＵＥにおいて受信された複数のデータパケットのシーケンス内のいくつかの失われたデータパケットを識別したことに応答して生成された第１のステータス報告が、前記いくつかの失われたデータパケットのすべてよりも少ない失われたデータパケットに関連する情報を含むと、前記ＵＥにおいて決定するための手段と、
前記第１のステータス報告を送信するための手段と、
前記決定に基づいて、前記第１のステータス報告を送信したことに応答するステータス禁止タイマーを無効化するための手段とを備えるＵＥ。
［Ｃ２２］
前記送信するための手段はさらに、前記第１のステータス報告に含まれていない前記いくつかの失われたデータパケットのうちの残りの失われたデータパケットの少なくとも一部に関連する情報を含む第２のステータス報告を送信するための手段である、Ｃ２１に記載のＵＥ。
［Ｃ２３］
前記送信するための手段はさらに、前記ステータス禁止タイマーが前記第１のステータス報告の前記送信に応答して始動された場合に前記ステータス禁止タイマーが満了していたであろう時間よりも前に前記第２のステータス報告を送信するための手段である、Ｃ２２に記載のＵＥ。
［Ｃ２４］
アップリンク許可を受信するための手段と、
前記アップリンク許可に基づいて最大データパケットサイズを決定するための手段と、ここにおいて、前記最大データパケットサイズが、前記いくつかの失われたデータパケットのすべてに関する前記情報を報告するには不十分である、
前記最大データパケットサイズまでの前記いくつかの失われたデータパケットに関連する情報を含む前記第１のステータス報告を生成するための手段とをさらに備える、Ｃ２１に記載のＵＥ。
［Ｃ２５］
受信機を離調期間の間、通信チャネルから離調させるための手段をさらに備え、ここにおいて、前記いくつかの失われたデータパケットは前記離調期間の間に失われる、Ｃ２１に記載のＵＥ。
［Ｃ２６］
前記受信機を前記通信チャネルから離調させるための前記手段は、
異なるエアインターフェース技術への離調、
異なる無線周波数への離調、または
前記複数のデータパケットの前記シーケンスを受信することに関連する第１の加入者識別モジュール（ＳＩＭ）とは異なる第２のＳＩＭに関係するエアインターフェースへの離調を行うための手段である、Ｃ２５に記載のＵＥ。
［Ｃ２７］
ワイヤレス通信においてデータパケットの受信ステータスを報告するためのコンピュータ実行可能コードを記憶するコンピュータ可読媒体であって、
ユーザ機器（ＵＥ）において受信された複数のデータパケットのシーケンス内のいくつかの失われたデータパケットを識別したことに応答して生成された第１のステータス報告が、前記いくつかの失われたデータパケットのすべてよりも少ない失われたデータパケットに関連する情報を含むと、前記ＵＥによって決定するためのコードと、
前記第１のステータス報告を送信するためのコードと、
前記決定に基づいて、前記送信に応答するステータス禁止タイマーを無効化するためのコードとを備えるコンピュータ可読媒体。
［Ｃ２８］
前記第１のステータス報告に含まれていない前記いくつかの失われたデータパケットのうちの残りの失われたデータパケットに関連する情報を含む第２のステータス報告を送信するためのコードをさらに備える、Ｃ２７に記載のコンピュータ可読媒体。
［Ｃ２９］
前記第２のステータス報告を送信するための前記コードは、前記ステータス禁止タイマーが通常であれば満了していたであろう時間よりも前に送信するためのコードを含む、Ｃ２８に記載のコンピュータ可読媒体。
［Ｃ３０］
アップリンク許可を受信するためのコードと、
前記アップリンク許可に基づいて最大データパケットサイズを決定するためのコードとをさらに備え、ここにおいて、前記最大データパケットサイズは、単一のパケットにおいて前記いくつかの失われたデータパケットに関する情報を報告するには不十分な最大パケットサイズであり、前記第１のステータス報告は、前記不十分な最大パケットサイズに起因して前記いくつかの失われたデータパケットの数よりも少ない失われたデータパケットに関連する前記情報を含む、Ｃ２７に記載のコンピュータ可読媒体。
【手続補正書】
【提出日】平成29年7月11日(2017.7.11)
【手続補正１】
【補正対象書類名】特許請求の範囲
【補正対象項目名】全文
【補正方法】変更
【補正の内容】
【特許請求の範囲】
【請求項１】
データパケットの受信ステータスを報告することに関するワイヤレス通信の方法であって、
離調を、ユーザ機器（ＵＥ）によって実行することと、ここにおいて、前記離調は、
異なるエアインターフェース技術への離調、
異なる無線周波数への離調、または
複数のデータパケットのシーケンスを受信することに関連する第１の加入者識別モジュール（ＳＩＭ）とは異なる第２のＳＩＭに関係するエアインターフェースへの離調
のうちの少なくとも１つに関連する、
前記ＵＥにおいて受信された前記複数のデータパケットの前記シーケンス内のいくつかの失われたデータパケットを識別することと、
前記識別したことに応答して、いくつかの失われたデータパケットのすべてよりも少ない失われたデータパケットに関連する情報を含むように第１のステータス報告を生成することと、ここにおいて、前記いくつかの失われたデータパケットは、前記ＵＥによる前記離調の間に失われる、
前記第１のステータス報告が、前記いくつかの失われたデータパケットのすべてよりも少ない失われたデータパケットに関連する情報を含むと、前記ＵＥによって決定することと、
前記第１のステータス報告を送信することと、
前記決定に基づいて、前記送信に応答するステータス禁止タイマーを無効化することと、
前記第１のステータス報告に含まれていない前記いくつかの失われたデータパケットのうちの残りの失われたデータパケットの少なくとも一部に関連する情報を含む第２のステータス報告を送信することと
を備え、
ここにおいて前記第２のステータス報告は、前記ステータス禁止タイマーが前記第１のステータス報告の前記送信に応答して始動された場合に前記ステータス禁止タイマーが満了していたであろう時間よりも前に送信される、方法。
【請求項２】
前記第２のステータス報告は、前記第１のステータス報告の送信時間に前記ステータス禁止タイマーの持続時間を加えた時間に等しい時間よりも前に送信される、請求項１に記載の方法。
【請求項３】
前記第１のステータス報告は、制限されたアップリンク許可サイズに起因して前記いくつかの失われたデータパケットのすべてよりも少ない失われたデータパケットに関連する前記情報を含む、請求項１に記載の方法。
【請求項４】
アップリンク許可を受信することと、
前記アップリンク許可に基づいて最大データパケットサイズを決定すること、
をさらに備え、ここにおいて、前記最大データパケットサイズが、前記いくつかの失われたデータパケットのすべてに関する前記情報を報告するには不十分であり、
前記第１のステータス報告は、前記最大データパケットサイズまでの前記いくつかの失われたデータパケットに関連する前記情報を含む、請求項３に記載の方法。
【請求項５】
前記ステータス禁止タイマーの前記無効化は、無線リンク制御（ＲＬＣ）レイヤにおける無効化をさらに備える、請求項１に記載の方法。
【請求項６】
前記いくつかの失われたデータパケットのすべてよりも少ない失われたデータパケットに関連する前記情報は、否定応答（ＮＡＣＫ）と、前記いくつかの失われたデータパケットのすべてよりも少ない失われたデータパケットの対応するシーケンス番号の識別情報とを含む、請求項１に記載の方法。
【請求項７】
データパケットの受信ステータスを報告することに関するワイヤレス通信のためのユーザ機器（ＵＥ）であって、
第１のステータス報告を含むデータパケットをワイヤレスに送受信するように構成されたトランシーバと、
前記トランシーバによって受信されたデータパケットのレコードを記憶するように構成されたメモリと、
前記トランシーバおよび前記メモリに通信可能に結合されたプロセッサと
を備え、前記プロセッサが、
離調を実行することと、ここにおいて、前記離調は、
異なるエアインターフェース技術への離調、
異なる無線周波数への離調、または
複数のデータパケットのシーケンスを受信することに関連する第１の加入者識別モジュール（ＳＩＭ）とは異なる第２のＳＩＭに関係するエアインターフェースへの離調
のうちの少なくとも１つに関連する、
前記ＵＥにおいて受信された前記複数のデータパケットの前記シーケンス内のいくつかの失われたデータパケットを識別することと、
前記識別したことに応答して、いくつかの失われたデータパケットのすべてよりも少ない失われたデータパケットに関連する情報を含むように第１のステータス報告を生成することと、ここにおいて、前記いくつかの失われたデータパケットは、前記ＵＥによる前記離調の間に失われる、
前記第１のステータス報告が、前記いくつかの失われたデータパケットの数よりも少ない失われたデータパケットに関連する情報を含むと決定することと、
前記トランシーバを介して前記第１のステータス報告の送信を開始することと、
前記決定に基づいて、前記送信に応答するステータス禁止タイマーを無効化することと、
前記第１のステータス報告に含まれていない前記いくつかの失われたデータパケットのうちの残りの失われたデータパケットの少なくとも一部に関連する情報を含む第２のステータス報告の送信を前記トランシーバを介して開始することと
を行うように構成され、
ここにおいて、前記プロセッサは、前記ステータス禁止タイマーが前記第１のステータス報告の前記送信に応答して始動された場合に前記ステータス禁止タイマーが満了していたであろう時間よりも前に前記第２のステータス報告の送信を開始するように構成される、ＵＥ。
【請求項８】
前記プロセッサは、前記第１のステータス報告の送信時間に前記ステータス禁止タイマーの持続時間を加えた時間に等しい時間よりも前に前記第２のステータス報告の送信を開始するように構成される、請求項７に記載のＵＥ。
【請求項９】
前記第１のステータス報告は、制限されたアップリンク許可サイズに起因して前記いくつかの失われたデータパケットの数よりも少ない失われたデータパケットに関連する前記情報を含む、請求項７に記載のＵＥ。
【請求項１０】
前記トランシーバは、アップリンク許可を受信するように構成され、
前記プロセッサは、前記アップリンク許可に基づいて最大データパケットサイズを決定するように構成され、ここにおいて、前記最大データパケットサイズが、前記いくつかの失われたデータパケットに関する情報を報告するには不十分である、請求項９に記載のＵＥ。
【請求項１１】
前記ステータス禁止タイマーは、無線リンク制御（ＲＬＣ）レイヤに関連する、請求項９に記載のＵＥ。
【請求項１２】
前記いくつかの失われたデータパケットの数よりも少ない失われたデータパケットに関連する情報は、否定応答（ＮＡＣＫ）と、前記いくつかの失われたデータパケットの数よりも少ない失われたデータパケットの対応するシーケンス番号の識別情報とを含む、請求項９に記載のＵＥ。
【請求項１３】
データパケットの受信ステータスを報告することに関するワイヤレス通信のためのユーザ機器（ＵＥ）であって、
受信機を、離調期間の間、通信チャネルから離調させるための手段と、ここにおいて、いくつかの失われたデータパケットは、前記離調期間の間に失われ、前記離調は、
異なるエアインターフェース技術への離調、
異なる無線周波数への離調、または
複数のデータパケットのシーケンスを受信することに関連する第１の加入者識別モジュール（ＳＩＭ）とは異なる第２のＳＩＭに関係するエアインターフェースへの離調
のうちの少なくとも１つに関連する、
前記ＵＥにおいて受信された前記複数のデータパケットのシーケンス内の前記いくつかの失われたデータパケットを識別するための手段と、
前記識別したことに応答して、いくつかの失われたデータパケットのすべてよりも少ない失われたデータパケットに関連する情報を含むように第１のステータス報告を生成するための手段と、ここにおいて、前記いくつかの失われたデータパケットは、前記ＵＥによる前記離調の間に失われる、
前記第１のステータス報告が、前記いくつかの失われたデータパケットのすべてよりも少ない失われたデータパケットに関連する情報を含むと、前記ＵＥにおいて決定するための手段と、
前記第１のステータス報告を送信するための手段と、
前記決定に基づいて、前記第１のステータス報告を送信したことに応答するステータス禁止タイマーを無効化するための手段と、
を備え、
前記送信するための手段はさらに、前記ステータス禁止タイマーが前記第１のステータス報告の前記送信に応答して始動された場合に前記ステータス禁止タイマーが満了していたであろう時間よりも前に、前記第１のステータス報告に含まれていない前記いくつかの失われたデータパケットのうちの残りの失われたデータパケットの少なくとも一部に関連する情報を含む第２のステータス報告を送信するためのものである、ＵＥ。
【請求項１４】
アップリンク許可を受信するための手段と、
前記アップリンク許可に基づいて最大データパケットサイズを決定するための手段と、
をさらに備え、ここにおいて、前記最大データパケットサイズが、前記いくつかの失われたデータパケットのすべてに関する前記情報を報告するには不十分であり、
前記第１のステータス報告を生成するための前記手段は、前記最大データパケットサイズまで前記第１のステータス報告を生成するように構成される、請求項１３に記載のＵＥ。
【請求項１５】
ワイヤレス通信においてデータパケットの受信ステータスを報告するためのコンピュータ実行可能コードを記憶するコンピュータ可読媒体であって、
ユーザ機器（ＵＥ）の受信機を、離調期間の間、通信チャネルから離調させるためのコードと、ここにおいて、いくつかの失われたデータパケットは、前記離調期間の間に失われ、前記離調は、
異なるエアインターフェース技術への離調、
異なる無線周波数への離調、または
複数のデータパケットのシーケンスを受信することに関連する第１の加入者識別モジュール（ＳＩＭ）とは異なる第２のＳＩＭに関係するエアインターフェースへの離調
のうちの少なくとも１つに関連する、
前記ＵＥにおいて受信された前記複数のデータパケットのシーケンス内の前記いくつかの失われたデータパケットを識別するためのコードと、
前記識別したことに応答して、いくつかの失われたデータパケットのすべてよりも少ない失われたデータパケットに関連する情報を含むように第１のステータス報告を生成するためのコードと、ここにおいて、前記いくつかの失われたデータパケットは、前記ＵＥによる前記離調の間に失われる、
前記第１のステータス報告が、前記いくつかの失われたデータパケットのすべてよりも少ない失われたデータパケットに関連する情報を含むと、前記ＵＥによって決定するためのコードと、
前記第１のステータス報告を送信するためのコードと、
前記決定に基づいて、前記送信に応答するステータス禁止タイマーを無効化するためのコードと、
前記第１のステータス報告に含まれていない前記いくつかの失われたデータパケットのうちの残りの失われたデータパケットに関連する情報を含む第２のステータス報告を送信するためのコードと
を備えるコンピュータ可読媒体。
【請求項１６】
アップリンク許可を受信するためのコードと、
前記アップリンク許可に基づいて最大データパケットサイズを決定するためのコードと
をさらに備え、ここにおいて、前記最大データパケットサイズは、単一のパケットにおいて前記いくつかの失われたデータパケットに関する情報を報告するには不十分な最大パケットサイズであり、前記第１のステータス報告は、前記不十分な最大パケットサイズに起因して前記いくつかの失われたデータパケットの数よりも少ない失われたデータパケットに関連する前記情報を含む、請求項１５に記載のコンピュータ可読媒体。
【国際調査報告】
2017539129.tif 000014
2017539129.tif 000015